(57)【要約】【課題】蓄電装置の生産性を向上させつつ、ケース本体への蓋の組み付けに際してケース本体と蓋との位置精度を向上すること。【解決手段】治具５１は、ケース本体１３を支持するケース本体支持部５３と、ケース本体１３に対して対向するように位置する第１カバー支持部５５ａ及び第２カバー支持部５５ｂと、を有する。補助部７８は、ケース本体１３に対して近接した状態で、ケース本体１３の開口部１３ａに臨む導入孔を有するとともに、導入孔を蓋１４が通過することでケース本体１３への蓋１４の導入を補助する。蓋移動部７７は、補助部７８と協働してケース本体１３の開口部１３ａの開口面に直交する方向にてケース本体１３に近づく方向に蓋１４を移動する。補助部７８は、対向方向から見たときに、第１カバー支持部５５ａ及び第２カバー支持部５５ｂとケース本体支持部５３との間に重なる位置に設けられる。【選択図】図１２
2020119725.tif 000002
【特許請求の範囲】
【請求項１】
正極電極と負極電極が絶縁された状態で積層され、且つ前記正極電極及び前記負極電極から突出したタブが同じ極同士で積層されたタブ群を有する電極組立体と、前記タブ群と電気的に接続される電極端子が固定されるとともに前記電極組立体を収容するケース本体に閉塞位置で組み付いて前記ケース本体の開口部を閉塞するための蓋と、を備えた組立部材を、前記ケース本体に対し前記開口部から挿入して組み付ける蓄電装置の製造装置であって、
前記開口部を開放させた状態の前記ケース本体を前記開口部の開口面に沿う対向方向において支持するケース本体支持部と、前記対向方向から見たときに前記開口面に直交する方向にて前記ケース本体支持部から離間して位置するとともに、前記開口面に直交する方向から見たときに前記対向方向にて前記ケース本体に対向するように位置する対向部と、を有するとともに、搬送路上を搬送される治具と、
前記ケース本体に対して近接した状態で、前記開口部に臨む導入孔を有するとともに、前記導入孔を前記蓋が通過することで当該蓋の前記閉塞位置への導入を補助する補助部と、
前記補助部と協働して前記開口面に直交する方向にて前記ケース本体に近づく方向に前記蓋を移動する蓋移動部と、を備え、
前記補助部は、前記対向方向から見たときに、前記開口面に直交する方向における前記対向部と前記ケース本体支持部との間に重なる位置に設けられるとともに、前記対向方向に移動することによって前記ケース本体支持部に支持された前記ケース本体に近接する蓄電装置の製造装置。
【請求項２】
前記治具は、
前記蓄電装置における前記蓋と前記電極組立体との間に配置するための絶縁カバーを支持するカバー支持部と、
前記ケース本体支持部に支持された前記ケース本体内に前記組立部材の前記電極組立体の一部が挿入された状態で、前記カバー支持部に支持された前記絶縁カバーを前記組立部材に向けて押圧することにより、前記蓋と前記電極組立体との間に前記絶縁カバーを組み付けるカバー押圧部と、を備え、
前記カバー支持部は前記対向部であり、
前記補助部は、前記治具とは別体である請求項１に記載の蓄電装置の製造装置。
【請求項３】
前記蓋移動部は、前記蓋を保持する蓋保持部と、前記蓋保持部が接続された基端部と、を備えるとともに、前記開口面に直交する方向にて、前記蓋を保持した前記蓋保持部と前記基端部とを前記ケース本体支持部に支持された前記ケース本体に近づく方向に一体移動させることにより、前記蓋が前記導入孔を通過し、
前記蓋保持部と前記基端部とは、前記開口面に沿う方向にて前記蓋保持部と前記基端部との位置関係を変更可能なフローティング機構を介して接続されている請求項１又は請求項２に記載の蓄電装置の製造装置。
【請求項４】
前記蓋移動部は、前記蓋を保持する蓋保持部と、前記蓋を押圧する蓋押圧部と、を備えるとともに、前記開口面に直交する方向にて、前記蓋を保持した前記蓋保持部と前記蓋押圧部とを前記ケース本体支持部に支持された前記ケース本体に近づく方向に移動させることにより、前記蓋が前記導入孔を通過し、
前記ケース本体に近づく方向に前記蓋保持部及び前記蓋押圧部が移動する際には、前記蓋保持部によって保持された前記蓋が前記ケース本体に載せられた後に前記蓋押圧部が前記蓋に当接する請求項１〜請求項３のうちいずれか一項に記載の蓄電装置の製造装置。
【請求項５】
前記補助部は、前記対向方向から見たときに前記開口面に直交する方向における前記対向部と前記ケース本体支持部との間に重なる位置に前記補助部を位置決めする位置決め部材を備える請求項１〜請求項４のうちいずれか一項に記載の蓄電装置の製造装置。
【請求項６】
前記導入孔は、前記開口面に直交する方向において、前記ケース本体寄りに設けられる挿入孔と、前記挿入孔よりも前記ケース本体から離間する側にて前記挿入孔と連通する誘導孔とを有し、
前記挿入孔は、前記開口面に直交する方向での任意の箇所において前記開口面に沿う方向に延びる平面で切断したときの断面の形状が前記開口部と同じ形状を有し、
前記誘導孔は、前記開口面に直交する方向での任意の箇所において前記開口面に沿う方向に延びる平面で切断したときの断面の断面積が前記ケース本体から離間するにつれて徐々に大きくなるように設けられている請求項１〜請求項５のうちいずれか一項に記載の蓄電装置の製造装置。
【請求項７】
前記補助部は、前記ケース本体支持部に支持された前記ケース本体に近接した状態で、前記導入孔を囲む前記補助部の面にコート層を有する請求項１〜請求項６のうちいずれか一項に記載の蓄電装置の製造装置。
【発明の詳細な説明】
【技術分野】
【０００１】
本発明は、蓄電装置の製造装置に関する。
【背景技術】
【０００２】
従来、特許文献１に記載されるような蓄電装置が知られている。この蓄電装置は、複数のシート状の正極電極及び負極電極が互いに絶縁された層状構造を有する電極組立体と、電極組立体を収容するケースと、を備える。電極組立体は、電極の一辺の一部から突出したタブを同じ極同士で寄せ集めたタブ群を有する。ケースは、有底筒状のケース本体と、ケース本体の開口部を閉塞する蓋とを有する。
【０００３】
上記の蓄電装置は、蓋に固定された電極端子を備える。電極端子は、電極組立体のタブ群と電気的に接続されている。これにより、電極端子は、タブ群を介して電極組立体と電気的に接続されている。電極組立体、蓋、電極端子、及びタブ群は、製造工程の過程において、組立部材として一体化される。
【０００４】
特許文献１の蓄電装置を製造するため、組立部材とケース本体とを組み立てる製造装置（設備）は、例えば次の構成を備える。すなわち、製造装置はコンベアを備え、コンベアの上流側より、順次、コンベア上へケース本体を供給する装置、コンベア上に組立部材を供給するとともに組立部材のケース本体への仮組み付けを行う装置、組立部材のケースへの本組み付けを行う装置などを備える。ここで、仮組み付けとは、組立部材の電極組立体をケース本体に挿入するが、蓋をケース本体の開口部から離間した状態で支持し、ケース本体への蓋の固定を行わないものである。本組み付けとは、蓋をケース本体に押し込むことにより、蓋をケース本体に固定するものである。
【０００５】
なお、蓋としては、例えば、蓋本体部と蓋インロー部とを備えるものや、そうした蓋インロー部を備えないものが挙げられる。前者の蓋の場合、ケース本体の開口部の上部に蓋本体部が位置することにより、ケース本体の開口部を閉塞する。そして、ケース本体の開口部が閉塞された状態では、蓋本体部がケース本体の外側に位置し、蓋インロー部がケース本体の内側に位置する。後者の蓋の場合、ケース本体の開口部の上部に蓋が位置することにより、ケース本体の開口部を閉塞する。
【先行技術文献】
【特許文献】
【０００６】
【特許文献１】特開２０１６−１２２５３３号公報
【発明の概要】
【発明が解決しようとする課題】
【０００７】
ところで、一般に、蓄電装置の製造装置では、組立部材とケース本体とを治具によって支持した状態でコンベア上を搬送させながら製造工程を行う。また、製造工程で行われる各工程では、必要な装置や部品が工程毎で異なる。仮に、製造工程の各工程にそれぞれ対応した装置や部品を備えた治具を用意して、各工程を行うに際して対応する治具に組立部材やケース本体を載せ替えるようにすると、治具の載せ替えを行う分だけ生産性が低下するおそれがあり好ましくない。
【０００８】
また、組立部材のケースへの本組み付けを行うに際して、ケース本体に近づけるように蓋を変位させるときには、ケース本体の開口部の開口面に沿う方向においてケース本体の開口部に対して蓋がずれるおそれがある。そうしたずれが生じると、以下のような問題が生じるおそれがあるため望ましくない。
【０００９】
すなわち、蓋が蓋本体部と蓋インロー部とを備えるものである場合、上記の蓋のずれが生じたまま蓋によってケース本体を閉塞しようとすると、蓋インロー部がケース本体の開口部を形成するケース本体の側壁の先端部と当接し、その当接に伴ってケース本体や蓋の一部が削れて異物が生じるおそれがある。生じた異物がケース本体の内部に混入すると、製造された蓄電装置の電池性能に影響を及ぼすおそれがある。
【００１０】
また、蓋が上記蓋インロー部を備えないものの場合、上記の蓋のずれが生じたまま蓋によってケース本体を閉塞すると、蓋の周縁部とケース本体の開口部を形成するケース本体の側壁の先端部の周縁部とが、ケースの開口部の開口面に沿う方向でずれた状態となる。そのため、蓋をケース本体に組み付ける際に、溶接不良等が生じてケース本体への蓋の組み付け精度が低下するおそれがある。
【００１１】
本発明は、上記課題を解決するためになされたものであり、その目的は、蓄電装置の生産性を向上させつつ、ケース本体への蓋の組み付けに際してケース本体と蓋との位置精度を向上できる蓄電装置の製造装置を提供することにある。
【課題を解決するための手段】
【００１２】
上記課題を解決する蓄電装置の製造装置は、正極電極と負極電極が絶縁された状態で積層され、且つ前記正極電極及び前記負極電極から突出したタブが同じ極同士で積層されたタブ群を有する電極組立体と、前記タブ群と電気的に接続される電極端子が固定されるとともに前記電極組立体を収容するケース本体に閉塞位置で組み付いて前記ケース本体の開口部を閉塞するための蓋と、を備えた組立部材を、前記ケース本体に対し前記開口部から挿入して組み付ける蓄電装置の製造装置であって、前記開口部を開放させた状態の前記ケース本体を前記開口部の開口面に沿う対向方向において支持するケース本体支持部と、前記対向方向から見たときに前記開口面に直交する方向にて前記ケース本体支持部から離間して位置するとともに、前記開口面に直交する方向から見たときに前記対向方向にて前記ケース本体に対向するように位置する対向部と、を有するとともに、搬送路上を搬送される治具と、前記ケース本体に対して近接した状態で、前記開口部に臨む導入孔を有するとともに、前記導入孔を前記蓋が通過することで当該蓋の前記閉塞位置への導入を補助する補助部と、前記補助部と協働して前記開口面に直交する方向にて前記ケース本体に近づく方向に前記蓋を移動する蓋移動部と、を備え、前記補助部は、前記対向方向から見たときに、前記開口面に直交する方向における前記対向部と前記ケース本体支持部との間に重なる位置に設けられるとともに、前記対向方向に移動することによって前記ケース本体支持部に支持された前記ケース本体に近接することを特徴とする。
【００１３】
上記構成によれば、ケース本体への蓋の組み付けに際して、蓋移動部と補助部とを協働させることにより、蓋をケース本体に近接させながら閉塞位置への蓋の導入が行われる。このため、導入孔を蓋が通過する前に、ケース本体の開口部の開口面に沿う方向で蓋が閉塞位置に対してずれていても、導入孔を蓋が通過している間に、ケース本体の開口部に対する蓋のずれが修正される。したがって、ケース本体への蓋の組み付けに際してケース本体と蓋との位置精度を向上できる。
【００１４】
また、上記構成によれば、補助部をケース本体に近づく方向に移動させる際に、対向部やケース本体支持部といった治具の構成部材と干渉しない。そのため、治具の載せ替えを行わなくても、蓄電装置の製造工程における他工程と共通の治具を用いて、ケース本体への蓋の組み付けを行うことができる。したがって、治具の載せ替えを行わない分だけ、蓄電装置の生産性を向上させることができる。
【００１５】
蓄電装置の製造装置について、前記治具は、前記蓄電装置における前記蓋と前記電極組立体との間に配置するための絶縁カバーを支持するカバー支持部と、前記ケース本体支持部に支持された前記ケース本体内に前記組立部材の前記電極組立体の一部が挿入された状態で、前記カバー支持部に支持された前記絶縁カバーを前記組立部材に向けて押圧することにより、前記蓋と前記電極組立体との間に前記絶縁カバーを組み付けるカバー押圧部と、を備え、前記カバー支持部は前記対向部であり、前記補助部は、前記治具とは別体であることが好ましい。
【００１６】
上記構成によれば、補助部を治具と別体としているため、治具に補助部を搭載させるために治具が大型化するのを抑制することができる。
蓄電装置の製造装置について、前記蓋移動部は、前記蓋を保持する蓋保持部と、前記蓋保持部が接続された基端部と、を備えるとともに、前記開口面に直交する方向にて、前記蓋を保持した前記蓋保持部と前記基端部とを前記ケース本体支持部に支持された前記ケース本体に近づく方向に一体移動させることにより、前記蓋が前記導入孔を通過し、前記蓋保持部と前記基端部とは、前記開口面に沿う方向にて前記蓋保持部と前記基端部との位置関係を変更可能なフローティング機構を介して接続されていることが好ましい。
【００１７】
上記構成によれば、導入孔を蓋が通過している間に、導入孔を囲む補助部の面に蓋が摺動すると、その摺動に伴って蓋が開口面に沿う方向に移動しやすい。したがって、ケース本体への蓋の組み付けに際してケース本体と蓋との位置精度をさらに向上できる。
【００１８】
蓄電装置の製造装置について、前記蓋移動部は、前記蓋を保持する蓋保持部と、前記蓋を押圧する蓋押圧部と、を備えるとともに、前記開口面に直交する方向にて、前記蓋を保持した前記蓋保持部と前記蓋押圧部とを前記ケース本体支持部に支持された前記ケース本体に近づく方向に移動させることにより、前記蓋が前記導入孔を通過し、前記ケース本体に近づく方向に前記蓋保持部及び前記蓋押圧部が移動する際には、前記蓋保持部によって保持された前記蓋が前記ケース本体に載せられた後に前記蓋押圧部が前記蓋に当接することが好ましい。
【００１９】
仮に、蓋保持部による蓋の保持と蓋押圧部による蓋の押圧とが同じタイミングで開始されると、蓋保持部及び蓋押圧部が蓋に作用することによって生じる蓋の動きによって、蓋保持部による蓋の保持及び蓋押圧部による蓋の押圧の両方の精度が低下するおそれがある。上記構成によれば、蓋保持部による蓋の保持が行われた後に、蓋押圧部が蓋に当接するため、蓋保持部による蓋の保持が開始される際には蓋押圧部が蓋の押圧を開始する際の蓋の動きが生じず、蓋押圧部による蓋の押圧が開始される際には蓋保持部が蓋の保持を開始する際の蓋の動きが生じない。したがって、蓋保持部による蓋の保持と、蓋押圧部による蓋の押圧とを精度よく行うことができる。
【００２０】
蓄電装置の製造装置について、前記補助部は、前記対向方向から見たときに前記開口面に直交する方向における前記対向部と前記ケース本体支持部との間に重なる位置に前記補助部を位置決めする位置決め部材を備えることが好ましい。
【００２１】
ケース本体への組立部材の組み付けを繰り返し行うと、補助部では導入孔を蓋が通過する際の蓋の摺動が繰り返され、補助部の表面が摩耗するおそれがある。そのため、摩耗が懸念される使用回数となったら、補助部は交換することが望ましい。上記構成によれば、補助部を交換する際に、位置決め部材によって対向部とケース本体支持部との間に重なる位置である所定の位置に補助部を位置決めすることができる。そのため、交換後の補助部について、対向部やケース本体支持部といった治具の構成部材と干渉しない位置への設定を早期に完了できるため、作業工数の増大を抑制することができる。
【００２２】
蓄電装置の製造装置について、前記導入孔は、前記開口面に直交する方向において、前記ケース本体寄りに設けられる挿入孔と、前記挿入孔よりも前記ケース本体から離間する側にて前記挿入孔と連通する誘導孔とを有し、前記挿入孔は、前記開口面に直交する方向での任意の箇所において前記開口面に沿う方向に延びる平面で切断したときの断面の形状が前記開口部と同じ形状を有し、前記誘導孔は、前記開口面に直交する方向での任意の箇所において前記開口面に沿う方向に延びる平面で切断したときの断面の断面積が前記ケース本体から離間するにつれて徐々に大きくなるように設けられていることが好ましい。
【００２３】
上記構成によれば、誘導孔を囲む補助部の面が傾斜面となる。そのため、蓋が誘導孔を通過する間に、誘導孔を囲む補助部の面に蓋が摺動すると、蓋が傾斜面に沿って移動しやすい。したがって、ケース本体への蓋の組み付けに際してケース本体と蓋との位置精度をさらに向上できる。
【００２４】
蓄電装置の製造装置について、前記補助部は、前記ケース本体支持部に支持された前記ケース本体に近接した状態で、前記導入孔を囲む前記補助部の面にコート層を有することが好ましい。
【００２５】
上記構成によれば、蓋が導入孔を通過する間に、導入孔を囲む補助部の面に蓋が摺動すると、蓋がコート層に沿って移動することとなり、補助部がコート層を有さない構成と比較して蓋が移動しやすくなる。したがって、ケース本体への蓋の組み付けに際してケース本体と蓋との位置精度をさらに向上できる。
【発明の効果】
【００２６】
この発明によれば、蓄電装置の生産性を向上させつつ、ケース本体への蓋の組み付けに際してケース本体と蓋との位置精度を向上できる。
【図面の簡単な説明】
【００２７】
【図１】実施形態の二次電池の分解斜視図。
【図２】電極組立体の構成を示す斜視図。
【図３】二次電池の断面図。
【図４】二次電池の断面図。
【図５】二次電池及び治具を示す斜視図。
【図６】二次電池の製造工程を示す平面図。
【図７】電極組立体挿入工程を説明するための斜視図。
【図８】第１カバー押圧部を説明するための斜視図。
【図９】第２カバー押圧部を説明するための斜視図。
【図１０】（ａ）は蓋保持部によって蓋を保持する前の状態における蓋移動部を示す斜視図、（ｂ）は蓋保持部によって蓋を保持した状態における蓋移動部を示す斜視図。
【図１１】蓋支持部による蓋の支持が解除された状態を示す斜視図。
【図１２】（ａ）は補助部が治具から離間した状態における斜視図、（ｂ）は補助部が治具に近接した状態における斜視図。
【図１３】補助部が治具に近接した状態を示す断面図。
【図１４】補助部が治具に近接した状態を示す断面図。
【図１５】補助部が治具に近接した状態を示す上面図。
【図１６】蓋押圧工程を説明するための斜視図。
【発明を実施するための形態】
【００２８】
以下、蓄電装置の製造装置を二次電池の製造装置に具体化した実施形態について図１〜図１６にしたがって説明する。
図１に示すように、蓄電装置としての二次電池１０は、ケース１１を備えている。二次電池１０は、ケース１１に収容された電極組立体１２を備えている。ケース１１は、直方体状のケース本体１３と、ケース本体１３に閉塞位置で組み付いてケース本体１３の開口部１３ａを閉塞する平面視で矩形をなす板状の蓋１４とを有している。ケース１１を構成するケース本体１３と蓋１４とは、何れも金属製（例えば、ステンレスやアルミニウム）である。また、本実施形態の二次電池１０は、その外観が角型をなす角型電池である。また、本実施形態の二次電池１０は、リチウムイオン二次電池である。
【００２９】
ケース本体１３は、平面視で矩形をなす板状の底壁１３ｂと、底壁１３ｂの一対の長側縁部から立設された側壁としての長側壁１３ｃと、底壁１３ｂの一対の短側縁部から立設された側壁としての短側壁１３ｄとを有している。以下、底壁１３ｂから長側壁１３ｃ及び短側壁１３ｄが立設する方向を、長側壁１３ｃ及び短側壁１３ｄの立設方向という。
【００３０】
蓋１４は、矩形板状の蓋本体部１６ａと、蓋本体部１６ａよりも外形の小さい矩形板状の蓋インロー部１６ｂとを有する。なお、インローとは、嵌め合いにより位置決めを行う構造を示し、蓋インロー部１６ｂは、蓋本体部１６ａよりも外形が小さい。また、ケース本体１３の開口部１３ａが蓋１４によって閉塞された状態において、蓋インロー部１６ｂはケース本体１３の内部側である下側を向き、ケース本体１３の開口部１３ａ内に嵌め合わされる凸形状である。なお、本実施形態の蓋インロー部１６ｂは矩形板状をなすが、内側に肉の無い、いわゆる凸条により形成されていてもよい。ケース本体１３の開口部１３ａが蓋１４によって閉塞された状態で、蓋本体部１６ａはケース本体１３の外側に位置しているとともに、蓋インロー部１６ｂはケース本体１３の内側に位置している。蓋１４によってケース本体１３の開口部１３ａが閉塞された状態では、蓋本体部１６ａの下面がケース本体１３の長側壁１３ｃ及び短側壁１３ｄの立設方向の先端面１３ｅに接触する。以下では、蓋１４のうち、蓋インロー部１６ｂのケース１１の内側に臨む面を蓋１４の下面１４ａといい、蓋本体部１６ａのケース１１の外側に臨む面を蓋１４の上面１４ｂという。
【００３１】
図２に示すように、電極組立体１２は、シート状の複数の正極電極２０と、シート状の複数の負極電極２１と、シート状の複数のセパレータ２２とを備えている。電極組立体１２は、正極電極２０と負極電極２１との間にセパレータ２２を介在させ、且つ絶縁された状態で積層した層状構造をなしている。
【００３２】
正極電極２０は、シート状の正極金属箔（例えばアルミニウム箔）２３と、正極金属箔２３の両面に存在する正極活物質層２４とを有している。正極電極２０は、一対の長辺に沿う縁部のうち一方の縁部にタブ側縁部２０ａを備えている。正極電極２０は、タブ側縁部２０ａの一部から突出したタブとしての正極タブ２５を有している。正極タブ２５は、正極金属箔２３そのもので構成されている。
【００３３】
負極電極２１は、シート状の負極金属箔（例えば銅箔）２６と、負極金属箔２６の両面に存在する負極活物質層２７とを有している。負極電極２１は、一対の長辺に沿う縁部のうち一方の縁部にタブ側縁部２１ａを備えている。負極電極２１は、タブ側縁部２１ａの一部から突出したタブとしての負極タブ２８を有している。負極タブ２８は、負極金属箔２６そのもので構成されている。複数の正極タブ２５及び複数の負極タブ２８は、正極電極２０及び負極電極２１が積層された状態で、正極タブ２５と負極タブ２８とが重ならない位置に存在する。セパレータ２２は、絶縁性を有し、正極電極２０と負極電極２１とを絶縁する。正極電極２０、負極電極２１、及びセパレータ２２が積層された方向が電極組立体１２の積層方向である。
【００３４】
図３に示すように、電極組立体１２は、タブ側端面１２ａを備えている。タブ側端面１２ａは、図２に示す正極電極２０のタブ側縁部２０ａ、負極電極２１のタブ側縁部２１ａ、及びセパレータ２２の縁部を寄せ集めて形成されている。
【００３５】
電極組立体１２は、タブ側端面１２ａから突出した正極タブ群２５ａを有している。正極タブ群２５ａは、全ての正極タブ２５を積層方向の一端寄りに寄せ集め、積層して構成されている。また、電極組立体１２は、タブ側端面１２ａから突出した負極タブ群２８ａを有している。負極タブ群２８ａは、全ての負極タブ２８を積層方向の一端寄りに寄せ集め、積層して構成されている。
【００３６】
正極タブ群２５ａ及び負極タブ群２８ａは、それぞれ積層方向一端寄りに基端側曲げ部２９ａを備えている。基端側曲げ部２９ａは、正極タブ群２５ａ及び負極タブ群２８ａにおいて、積層方向一端寄りに寄せ集められ、積層方向一端寄りから積層方向他端寄りに向けて折り曲げられた部分を含む。また、正極タブ群２５ａ及び負極タブ群２８ａは、それぞれ延出部２９ｂを備えている。延出部２９ｂは、基端側曲げ部２９ａから積層方向他端に向かって延びる部分である。正極タブ群２５ａ及び負極タブ群２８ａは、積層方向他端寄りから積層方向一端寄りに向けて折り曲げられた先端側曲げ部２９ｃを備えている。
【００３７】
図１、図３、及び図４に示すように、二次電池１０は、電極組立体１２と電気的に接続される電極端子１５を備えている。電極組立体１２は、電極端子１５を介して外部機器と電気的に接続される。電極端子１５は、蓋１４に固定されている。電極端子１５は、引出端子１９ａを備えている。引出端子１９ａは、蓋１４の上面１４ｂよりも外側に突出している。引出端子１９ａは、正極電極２０及び負極電極２１に対応する正極引出端子及び負極引出端子を備えている。
【００３８】
図４に示すように、電極端子１５は、導電部材１７を備えている。導電部材１７は、正極電極２０及び負極電極２１に対応する正極導電部材及び負極導電部材を備えている。導電部材１７は、互いに同一の極性を有する引出端子１９ａと接合されている。また、導電部材１７は、互いに同一の極性を有する正極タブ群２５ａ又は負極タブ群２８ａと接合されている。これにより、電極端子１５は、導電部材１７、正極タブ群２５ａ、及び負極タブ群２８ａを介して電極組立体１２と電気的に接続されている。各導電部材１７は、蓋１４の下面１４ａと電極組立体１２のタブ側端面１２ａとの間に配置されている。
【００３９】
電極端子１５は、それぞれ蓋１４の上面１４ｂで引出端子１９ａと電気的に接続された端子接続部材１９ｂと、蓋１４の外側で端子接続部材１９ｂと電気的に接続された外部接続端子１９ｃとを備えている。電極端子１５は、端子接続部材１９ｂ及び外部接続端子１９ｃを蓋１４から絶縁する外側絶縁部材１９ｄを蓋１４の上面１４ｂに備えている。電極組立体１２及び蓋１４は、電極端子１５を介して一体化されている。以下、電極組立体１２、蓋１４、及び電極端子１５が一体化されたものを組立部材Ｗとする。
【００４０】
図１に示すように、二次電池１０は、ケース１１内において、電極組立体１２のタブ側端面１２ａと蓋１４の下面１４ａとの間に配置される絶縁カバー３０を備えている。絶縁カバー３０は、樹脂製である。絶縁カバー３０は、第１絶縁カバー３０ａと第２絶縁カバー３０ｂとが組み付けられることにより構成される。第１絶縁カバー３０ａは、電極組立体１２のタブ側端面１２ａと対向する対向面から電極組立体１２寄りに突出したリブ３４を備えている。リブ３４は、蓋１４寄りに凹む係止凹部３４ａを備えている。第２絶縁カバー３０ｂは、第１絶縁カバー３０ａに向けて突出した係止用突出部３９を備えている。係止用突出部３９は、先端部に係止爪３９ａを備えている。係止爪３９ａは、第１絶縁カバー３０ａの係止凹部３４ａに係止可能である。第１絶縁カバー３０ａと第２絶縁カバー３０ｂとは、第１絶縁カバー３０ａの係止凹部３４ａに第２絶縁カバー３０ｂの係止爪３９ａが係止されることで一体に組み付けられることで構成される。
【００４１】
図３に示すように、第１絶縁カバー３０ａは、正極タブ群２５ａ及び負極タブ群２８ａの先端側曲げ部２９ｃ寄りから導電部材１７に対して装着されている。第２絶縁カバー３０ｂは、正極タブ群２５ａ及び負極タブ群２８ａの基端側曲げ部２９ａ寄りから導電部材１７に対して装着されている。
【００４２】
第１絶縁カバー３０ａは、板状の第１部位３１と、板状の第２部位３２と、第１部位３１の長辺方向に沿う一辺と第２部位３２の長辺方向に沿う一辺とを接続する第３部位３３とを備えている。第１絶縁カバー３０ａは、第１部位３１及び第２部位３２の有する両面が蓋１４の下面１４ａに沿うように設けられている。
【００４３】
第１部位３１は、蓋１４の下面１４ａと導電部材１７との間に設けられている。よって、第１部位３１は、蓋１４と導電部材１７とを絶縁している。第１部位３１は導電部材１７に支持されている。第２部位３２は、電極組立体１２のタブ側端面１２ａと、正極タブ群２５ａ及び負極タブ群２８ａにおける延出部２９ｂにおけるタブ側端面１２ａと対向している延出端面２９ｅとの間に設けられている。先端側曲げ部２９ｃは、導電部材１７と、第２部位３２と、第３部位３３とで区画された空間に入り込んだ状態である。
【００４４】
図４に示すように、第１絶縁カバー３０ａにおける第２部位３２の長辺方向の寸法は、第１部位３１の長辺方向の寸法よりも長い。第２部位３２は、第１絶縁カバー３０ａの長辺方向の一端寄りに負極絶縁部３５を備えている。第２部位３２は、第１絶縁カバー３０ａの長辺方向の他端寄りに正極絶縁部３６を備えている。負極絶縁部３５及び正極絶縁部３６は、電極端子１５の引出端子１９ａの下方であって、電極組立体１２のタブ側端面１２ａよりも上方に設けられている。負極絶縁部３５は、第１絶縁カバー３０ａの長辺方向の一端寄りにおいて電極組立体１２のタブ側端面１２ａに沿った所定範囲に設けられている。正極絶縁部３６は、第１絶縁カバー３０ａの長辺方向の他端寄りにおいて電極組立体１２のタブ側端面１２ａに沿った所定範囲に設けられている。負極絶縁部３５及び正極絶縁部３６は、電極端子１５と電極組立体１２とを絶縁している。
【００４５】
図３に示すように、第３部位３３は、正極タブ群２５ａ及び負極タブ群２８ａを外側から覆っている。詳しくは、第３部位３３は、正極タブ群２５ａ及び負極タブ群２８ａの先端側曲げ部２９ｃを積層方向他端寄りから覆っている。第３部位３３は、積層方向において、正極タブ群２５ａ及び負極タブ群２８ａの先端側曲げ部２９ｃとケース本体１３の長側壁１３ｃの内面との間に設けられている。よって、正極タブ群２５ａ及び負極タブ群２８ａとケース本体１３とは、第３部位３３によって絶縁されている。
【００４６】
第２絶縁カバー３０ｂは、板状の第１部位３７と、第１部位３７の長辺方向に沿う一辺から電極組立体１２に向けて立設された第２部位３８とを備えている。第１部位３７は、蓋１４の下面１４ａと導電部材１７との間に設けられている。よって、第１部位３７は、蓋１４と導電部材１７とを絶縁している。第２部位３８は、正極タブ群２５ａ及び負極タブ群２８ａを外側から覆っている。詳しくは、第２部位３８は、正極タブ群２５ａ及び負極タブ群２８ａの基端側曲げ部２９ａを積層方向一端寄りから覆っている。第２部位３８は、積層方向において、正極タブ群２５ａ及び負極タブ群２８ａの基端側曲げ部２９ａとケース本体１３の長側壁１３ｃの内面との間に設けられている。よって、正極タブ群２５ａ及び負極タブ群２８ａとケース本体１３とは、第２部位３８によって絶縁されている。なお、第１絶縁カバー３０ａと第２絶縁カバー３０ｂが組み付けられた状態で、第１絶縁カバー３０ａの第１部位３１と、第２絶縁カバー３０ｂの第１部位３７は、蓋１４の下面１４ａと導電部材１７との間で互いに接触している。
【００４７】
図１、図３、及び図４に示すように、二次電池１０は、ケース本体１３と電極組立体１２との間を絶縁する絶縁シート４０を備えている。絶縁シート４０は、樹脂で構成されている。絶縁シート４０は、電極組立体１２のタブ側端面１２ａを除く周囲を覆うように設けられている。絶縁シート４０は、電極組立体１２を覆った状態で電極組立体１２のタブ側端面１２ａよりも高い位置まで延びるはみ出し部４４を備えている。はみ出し部４４は、電極組立体１２の積層方向において、正極タブ群２５ａ及び負極タブ群２８ａの根本部分とケース本体１３の内面との間を絶縁している。
【００４８】
次に、二次電池１０の製造装置について説明する。
図５に示すように、二次電池１０の製造装置５０は治具５１を備える。治具５１は、台座部５２と、ケース本体１３を支持するケース本体支持部５３と、蓋１４を支持可能な蓋支持機構５４と、絶縁カバー３０を支持するカバー支持部５５とを備えている。
【００４９】
台座部５２は、平面視で矩形をなす板状である。台座部５２は、台座部５２の上面における一対の短縁部から立設する第１枠部５２ａを備えている。また、台座部５２は、台座部５２の上面における一対の長縁部のうち一方の長縁部から立設する第２枠部５２ｂを備えている。
【００５０】
ケース本体支持部５３は、台座部５２の上面から立設する４つの壁部から構成されている。ケース本体支持部５３は、ケース本体１３の長辺方向と台座部５２の長辺方向とが一致するように、ケース本体１３を支持する。４つの壁部のうち第１壁部５３ａは、ケース本体１３の一方の長側壁１３ｃの一部及び一方の短側壁１３ｄの一部に沿うＬ字状である。第２壁部５３ｂは、ケース本体１３の一方の長側壁１３ｃの一部及び他方の短側壁１３ｄの一部に沿うＬ字状である。第３壁部５３ｃは、ケース本体１３の他方の長側壁１３ｃの一部及び一方の短側壁１３ｄの一部に沿うＬ字状である。第４壁部５３ｄ（図１３）は、図５には図示されていないが、ケース本体１３の他方の長側壁１３ｃの一部及び他方の短側壁１３ｄの一部に沿うＬ字形状である。台座部５２（ケース本体１３）の長辺方向において、第１壁部５３ａと第２壁部５３ｂとの間には隙間が存在するとともに、第３壁部５３ｃと第４壁部５３ｄとの間には隙間が存在する。また、ケース本体１３がケース本体支持部５３によって支持されているとき、台座部５２の短辺方向が電極組立体１２の積層方向と同方向となり、第１壁部５３ａ、第２壁部５３ｂ、第３壁部５３ｃ、及び第４壁部５３ｄの立設方向がケース本体１３における長側壁１３ｃ及び短側壁１３ｄの立設方向と同方向なる。以下、第１壁部５３ａ、第２壁部５３ｂ、第３壁部５３ｃ、及び第４壁部５３ｄの立設方向を単に壁部の立設方向という。また、ケース本体支持部５３によっては、開口部１３ａを開放させた状態のケース本体１３が開口部１３ａの開口面に沿う対向方向において支持される。
【００５１】
台座部５２の長辺方向において、一方の短側壁１３ｄと対向する第１壁部５３ａの内面と、他方の短側壁１３ｄと対向する第２壁部５３ｂの内面との距離は、ケース本体１３の長辺方向の寸法よりも僅かに長い。同様に、一方の短側壁１３ｄと対向する第３壁部５３ｃの内面と、他方の短側壁１３ｄと対向する第４壁部５３ｄの内面との距離は、ケース本体１３の長辺方向の寸法よりも僅かに長い。また、台座部５２の短辺方向において、一方の長側壁１３ｃと対向する第１壁部５３ａの内面と、他方の長側壁１３ｃと対向する第３壁部５３ｃの内面との距離は、ケース本体１３の短辺方向の寸法よりも若干長い。同様に、一方の長側壁１３ｃと対向する第２壁部５３ｂの内面と、他方の長側壁１３ｃと対向する第４壁部５３ｄの内面との距離は、ケース本体１３の短手方向の寸法よりも僅かに長い。
【００５２】
また、壁部の立設方向において、第１壁部５３ａ、第２壁部５３ｂ、第３壁部５３ｃ、及び第４壁部５３ｄの寸法は、ケース本体１３の長側壁１３ｃ及び短側壁１３ｄの寸法よりも短い。そのため、ケース本体１３がケース本体支持部５３によって支持されているとき、第１壁部５３ａ、第２壁部５３ｂ、第３壁部５３ｃ、及び第４壁部５３ｄの上端面は、それぞれケース本体１３の長側壁１３ｃ及び短側壁１３ｄの先端面１３ｅよりも下方に位置する。
【００５３】
蓋支持機構５４は、蓋１４の長辺方向の一端部を支持する蓋支持部としての第１蓋支持部５６ａと、蓋１４の長辺方向の他端部を支持する蓋支持部としての第２蓋支持部５６ｂを備えている。第１蓋支持部５６ａ及び第２蓋支持部５６ｂは、それぞれ台座部５２の上面に沿って配置される板状の底部５６ｃと、壁部の立設方向と同方向に底部５６ｃから立設する延出部５６ｄと、を有している。ケース本体１３の底壁１３ｂは、底部５６ｃに支持されている。底部５６ｃは、ケース本体１３の底壁１３ｂ及び台座部５２の上面に対して台座部５２の長辺方向にスライド可能且つ、第１蓋支持部５６ａと第２蓋支持部５６ｂとの間で開閉可能に支持されている。
【００５４】
第１蓋支持部５６ａ及び第２蓋支持部５６ｂは、それぞれ延出部５６ｄの立設方向の先端に支持片を備えている。支持片は、ケース本体１３の開口部１３ａに対し、蓋１４を位置決めする蓋１４の位置決め機構を兼ねる。具体的には、ケース本体支持部５３にケース本体１３が支持され、第１蓋支持部５６ａ及び第２蓋支持部５６ｂに蓋１４が支持された状態において、蓋１４とケース本体１３との距離が所定距離（一定）に定まる。支持片のうち、板状の第１支持片５６ｅは、延出部５６ｄの先端に延出部５６ｄと一体的に設けられている。また、第１支持片５６ｅは、台座部５２の短辺方向に延びている。支持片のうち、第２支持片５６ｆは、第１支持片５６ｅの長辺方向の一端部から台座部５２の長辺方向に延びる。支持片のうち、第３支持片５６ｇは、第１支持片５６ｅの長辺方向の他端部から台座部５２の長辺方向に延びる。第１支持片５６ｅから第２支持片５６ｆ及び第３支持片５６ｇが延びる向きは、同方向である。つまり、第１蓋支持部５６ａ及び第２蓋支持部５６ｂは、平面視でコの字状をなしている。台座部５２の短辺方向において、第１蓋支持部５６ａの第２支持片５６ｆの内面と第３支持片５６ｇの内面との距離は、蓋１４の蓋本体部１６ａの短辺方向の寸法とほぼ同じである。第２蓋支持部５６ｂの第２支持片５６ｆの内面と第３支持片５６ｇの内面との距離は、蓋１４の蓋本体部１６ａの短辺方向の寸法とほぼ同じである。
【００５５】
第１蓋支持部５６ａ及び第２蓋支持部５６ｂの各延出部５６ｄにおける立設方向の基端部の外面には、第１ばね５７の一端が取り付けられている。第１ばね５７の他端は、台座部５２の第１枠部５２ａの内面に取り付けられている。これにより、第１蓋支持部５６ａ及び第２蓋支持部５６ｂは、第１ばね５７を介して台座部５２の第１枠部５２ａと接続されている。第１ばね５７が自然長であるとき、第１蓋支持部５６ａの第１支持片５６ｅの内面と第２蓋支持部５６ｂの第１支持片５６ｅの内面との距離は、蓋１４の蓋本体部１６ａの長辺方向の寸法よりも短い。よって、蓋１４の蓋本体部１６ａが第１蓋支持部５６ａと第２蓋支持部５６ｂとの間に挟まれるとき、第１ばね５７は、第１蓋支持部５６ａ及び第２蓋支持部５６ｂを互いに近づく方向に付勢している。これにより、蓋１４は、第１蓋支持部５６ａ及び第２蓋支持部５６ｂにより長辺方向の両端が支持される。なお、第１蓋支持部５６ａ及び第２蓋支持部５６ｂにより蓋１４が支持されているとき、第１蓋支持部５６ａの第１支持片５６ｅは、蓋１４の蓋本体部１６ａの長辺方向の一端面に沿っている。第１蓋支持部５６ａの第２支持片５６ｆは、蓋１４の蓋本体部１６ａの短辺方向の一端面の一部に沿っている。第１蓋支持部５６ａの第３支持片５６ｇは、蓋１４の蓋本体部１６ａの短辺方向の他端面に沿っている。また、第２蓋支持部５６ｂの第１支持片５６ｅは、蓋１４の蓋本体部１６ａの長辺方向の他端面に沿っている。第２蓋支持部５６ｂの第２支持片５６ｆは、蓋１４の蓋本体部１６ａの短辺方向の一端面の一部に沿っている。第２蓋支持部５６ｂの第３支持片５６ｇは、蓋１４の蓋本体部１６ａの短辺方向の他端面の一部に沿っている。
【００５６】
また、蓋１４が第１蓋支持部５６ａ及び第２蓋支持部５６ｂによって支持された状態において、電極端子１５は、蓋１４と共に第１蓋支持部５６ａ及び第２蓋支持部５６ｂによって支持されるため、正極タブ群２５ａ及び負極タブ群２８ａは、ケース本体１３内に収容された電極組立体１２との間で延びた状態で露出する。タブ側端面１２ａは、ケース本体１３の長側壁１３ｃ及び短側壁１３ｄの先端面１３ｅよりも上寄りに位置する。
【００５７】
第１蓋支持部５６ａ及び第２蓋支持部５６ｂが蓋１４を支持した状態から、第１ばね５７が縮むと、台座部５２の長辺方向における第１蓋支持部５６ａの第１支持片５６ｅの内面と第２蓋支持部５６ｂの第１支持片５６ｅの内面との距離が、蓋１４の蓋本体部１６ａの長辺方向の寸法よりも長くなる。そのため、蓋１４は、第１蓋支持部５６ａ及び第２蓋支持部５６ｂに支持されない非支持状態となる。つまり、第１蓋支持部５６ａ及び第２蓋支持部５６ｂは、第１ばね５７の縮み具合に応じて、蓋１４を支持する支持位置と、蓋１４を支持しない非支持位置とに移動可能である。
【００５８】
蓋支持機構５４は、第１蓋支持部５６ａ及び第２蓋支持部５６ｂを支持位置と非支持位置とに移動させる移動機構を備えている。本実施形態の移動機構は、板状の拡張部材５８である。拡張部材５８は、台座部５２の長辺方向において、第１蓋支持部５６ａの底部５６ｃと第２蓋支持部５６ｂの底部５６ｃとの間に配置されている。拡張部材５８の平面視形状は、台座部５２の短辺方向において台座部５２の中央から端に向かうほど、台座部５２の長辺方向における大きさが大きくなる台形状である。ケース本体１３の底壁１３ｂは、拡張部材５８の上面に支持される。拡張部材５８は、ケース本体１３の底壁１３ｂ及び台座部５２の上面に対して台座部５２の短辺方向にスライド可能に支持されている。台座部５２の短辺方向における拡張部材５８の一対の端面のうち面積の大きい方の端面を押圧端面５８ａとし、面積の小さい方の端面を取付端面５８ｂとする。取付端面５８ｂには、第２ばね５９の一端が取り付けられている。第２ばね５９の他端は、台座部５２の第２枠部５２ｂの内面に取り付けられている。これにより、拡張部材５８は、第２ばね５９を介して台座部５２の第２枠部５２ｂと接続されている。
【００５９】
拡張部材５８の押圧端面５８ａが押圧されると、拡張部材５８が台座部５２の短辺方向において第２枠部５２ｂに近接するように移動することで第２ばね５９が縮む。そして、第１蓋支持部５６ａの底部５６ｃと第２蓋支持部５６ｂの底部５６ｃとの間にて、存在する拡張部材５８の台座部５２の長辺方向における大きさが大きくなる。拡張部材５８が第２枠部５２ｂに近接するほど、第１蓋支持部５６ａ及び第２蓋支持部５６ｂの底部５６ｃが、台座部５２の長辺方向の外側に向けてそれぞれスライドすることにより、各第１ばね５７が徐々に縮む。こうして第１蓋支持部５６ａ及び第２蓋支持部５６ｂは、蓋１４を支持しない非支持位置に移動する。
【００６０】
押圧端面５８ａの押圧が解除されると、第２ばね５９が縮んだ状態から回復することで、拡張部材５８は、台座部５２の短辺方向において第２枠部５２ｂから離れるように移動する。そして、第１蓋支持部５６ａの底部５６ｃと第２蓋支持部５６ｂの底部５６ｃとの間にて、存在する拡張部材５８の台座部５２の長辺方向における大きさが小さくなっていく。第１蓋支持部５６ａ及び第２蓋支持部５６ｂの底部５６ｃが、それぞれ互いに近接するように台座部５２の長辺方向の内側に向けてスライドする。こうして第１蓋支持部５６ａ及び第２蓋支持部５６ｂは、蓋１４を支持しない非支持位置から蓋１４を支持する支持位置に移動する。
【００６１】
カバー支持部５５は、ケース本体支持部５３よりも外側で絶縁カバー３０を支持している。カバー支持部５５は、ケース本体支持部５３よりも外側で第１絶縁カバー３０ａを支持する第１カバー支持部５５ａと、ケース本体支持部５３よりも外側で第２絶縁カバー３０ｂを支持する第２カバー支持部５５ｂと、により構成されている。第１カバー支持部５５ａ及び第２カバー支持部５５ｂは、台座部５２の短辺方向においてケース本体１３の開口部１３ａよりも外側に配置されている。第２カバー支持部５５ｂは、第１カバー支持部５５ａよりも台座部５２の第２枠部５２ｂ寄りに配置されている。
【００６２】
第１カバー支持部５５ａは、台座部５２の上面から立設する一対の基部５５ｃと、一対の基部５５ｃの先端部を接続する支持台５５ｄと、を備えている。支持台５５ｄは、台座部５２の長辺方向における互いに離間した２か所から、電極組立体１２の積層方向においてケース本体１３に向かって延びることで、平面視でコの字形状をなしている。支持台５５ｄには、第１絶縁カバー３０ａが載置される。一対の基部５５ｃは、台座部５２の短辺方向において第１壁部５３ａ及び第２壁部５３ｂを基準として第２枠部５２ｂと反対側に設けられている。一対の基部５５ｃは、台座部５２の長辺方向において第１壁部５３ａ及び第２壁部５３ｂよりも外側に設けられている。なお、一対の基部５５ｃのうち第１壁部５３ａ寄りに設けられる基部５５ｃは、図面の便宜上、一部破断して記載している。
【００６３】
支持台５５ｄは、支持台５５ｄのケース本体１３への対向方向から見たときに、ケース本体１３の開口部１３ａの開口面に直交する方向にて、ケース本体支持部５３から離間して位置する。また、支持台５５ｄは、ケース本体１３の開口部１３ａの開口面に直交する方向から見たときに、上記対向方向にてケース本体１３に対向するように位置する。そして、支持台５５ｄは、上記対向方向であって、電極組立体１２の積層方向から見て、第１蓋支持部５６ａ及び第２蓋支持部５６ｂにより蓋１４を支持した状態において蓋１４の下面１４ａと電極組立体１２のタブ側端面１２ａとの間に重なる位置に設けられている。すなわち、支持台５５ｄは、電極組立体１２の積層方向から見て、ケース本体支持部５３に支持されたケース本体１３内に電極組立体１２の一部が挿入された状態において蓋１４の下面１４ａと電極組立体１２のタブ側端面１２ａとの間に重なる位置に設けられている。支持台５５ｄの上面は、第１蓋支持部５６ａ及び第２蓋支持部５６ｂにおける第１支持片５６ｅ、第２支持片５６ｆ、及び第３支持片５６ｇの下面と電極組立体１２のタブ側端面１２ａとの間に位置している。支持台５５ｄに第１絶縁カバー３０ａが載置されている状態で、第１絶縁カバー３０ａは電極組立体１２の積層方向から見て、蓋１４の下面１４ａと電極組立体１２のタブ側端面１２ａとの間に重なっている。
【００６４】
第２カバー支持部５５ｂは、第１カバー支持部５５ａと同様の構成を有しており、配置のみが異なる。第２カバー支持部５５ｂの一対の基部５５ｃは、台座部５２の短辺方向において第３壁部５３ｃ及び第４壁部５３ｄを基準として第２枠部５２ｂ寄りに設けられている。第２カバー支持部５５ｂの一対の基部５５ｃは、台座部５２の長辺方向に第３壁部５３ｃ及び第４壁部５３ｄよりも外側に設けられている。また、本実施形態において、第１カバー支持部５５ａの支持台５５ｄと、第２カバー支持部５５ｂの支持台５５ｄとが、ケース本体１３の開口部１３ａの開口面に直交する方向から見たときに、開口部１３ａの開口面に沿う対向方向にてケース本体１３に対向するように位置する対向部に相当する。
【００６５】
次に、治具５１以外の二次電池１０の製造装置５０について、二次電池１０の製造方法とともに説明する。
図６に示すように、二次電池１０の製造装置５０は、複数の治具５１を搬送する搬送装置８０を備えている。搬送装置８０は、環状の搬送路Ｒを備えている。本実施形態においては、搬送装置８０は、複数の治具５１がそれぞれ載置された複数のリニア台が環状に形成された搬送路Ｒ上をそれぞれ移動するリニアコンベアであるが、環状の搬送路Ｒを形成する一台のコンベアであってもよい。搬送路Ｒは、返送路Ｒ１と、組立搬送路Ｒ２とを備えている。組立搬送路Ｒ２は、搬送路Ｒの一部であり、組立部材Ｗ及び絶縁カバー３０のケース本体１３への組み付けが行われる直線状の経路である。返送路Ｒ１は、搬送路Ｒの一部であり、組み付け完了後のワークが治具５１から取り出された後、組立搬送路Ｒ２の終端に至った治具５１を組立搬送路Ｒ２の始端に戻す経路である。返送路Ｒ１は、両端が組立搬送路Ｒ２に接続されている。具体的には、返送路Ｒ１は、第１接続搬送路Ｒ３及び第２接続搬送路Ｒ４を介して組立搬送路Ｒ２に接続されている。第１接続搬送路Ｒ３は、組立搬送路Ｒ２の搬送方向の下流寄りに位置する終端に接続されている。第２接続搬送路Ｒ４は、組立搬送路Ｒ２の搬送方向の上流寄りに位置する始端に接続されている。返送路Ｒ１の一部は、直線状に延びる経路であり、各接続搬送路Ｒ３，Ｒ４は、返送路Ｒ１を組立搬送路Ｒ２の終端及び始端に接続する経路である。
【００６６】
図５又は図６に示すように、治具５１は、第１カバー支持部５５ａ及び拡張部材５８が搬送路Ｒの外周側となるとともに、第２カバー支持部５５ｂ及び台座部５２の第２枠部５２ｂが搬送路Ｒの内周側となるように搬送される。組立搬送路Ｒ２の搬送方向の上流寄り端部の側方には、前工程で用いられる搬送装置としての第１ベルトコンベア８１が配置されている。組立搬送路Ｒ２の搬送方向の下流寄り端部の側方には、後工程で用いられる搬送装置としての第２ベルトコンベア８２が配置されている。なお、第１ベルトコンベア８１で流れる組立部材Ｗの電極組立体１２は絶縁シート４０で覆われた状態である。
【００６７】
返送路Ｒ１では、搬送中に治具５１に対して各種部材を供給する供給工程が行われる。供給工程は、治具５１にケース本体１３を供給するケース本体供給工程と、治具５１に第１絶縁カバー３０ａを供給する第１カバー供給工程と、治具５１に第２絶縁カバー３０ｂを供給する第２カバー供給工程とを有している。組立搬送路Ｒ２では、各種部材が供給された治具５１を搬送しながら、二次電池１０を組み立てる組立工程が行われる。組立工程は、電極組立体挿入工程と、第１絶縁カバー組付工程と、第２絶縁カバー組付工程と、組立部材保持工程と、蓋押圧工程とを有している。
【００６８】
二次電池１０の製造装置５０は、返送路Ｒ１沿いに設けられている部材供給装置６０と、組立搬送路Ｒ２沿いに設けられている組立装置７０を備えている。供給工程は部材供給装置６０により行われ、組立工程は組立装置７０により行われる。
【００６９】
部材供給装置６０は、ケース本体供給工程を行うケース本体供給部６１と、第１カバー供給工程を行う第１カバー供給部６２と、第２カバー供給工程を行う第２カバー供給部６３とを備えている。
【００７０】
ケース本体供給部６１は、返送路Ｒ１における搬送方向の上流寄りに設けられている。本実施形態のケース本体供給部６１は、ロボットアームである。ケース本体供給部６１は、複数のケース本体１３が収容された図示しない収容部からケース本体１３を１つ取り出し、搬送中の治具５１のケース本体支持部５３に挿入する。これにより、ケース本体１３は、治具５１のケース本体支持部５３に支持される。すなわち、治具５１にケース本体１３が供給される。
【００７１】
第１カバー供給部６２は、返送路Ｒ１における搬送方向においてケース本体供給部６１よりも下流寄りに配置されている。本実施形態の第１カバー供給部６２は、ロボットアームである。第１カバー供給部６２は、複数の第１絶縁カバー３０ａが収容された図示しない収容部から、第１絶縁カバー３０ａを１つ取り出し、搬送中の治具５１の第１カバー支持部５５ａ上に載置する。
【００７２】
第２カバー供給部６３は、返送路Ｒ１における搬送方向において第１カバー供給部６２よりも下流寄りに配置されている。本実施形態の第２カバー供給部６３は、ロボットアームである。第２カバー供給部６３は、複数の第２絶縁カバー３０ｂが収容された図示しない収容部から、第２絶縁カバー３０ｂを１つ取り出し、搬送中の治具５１の第２カバー支持部５５ｂ上に載置する。治具５１は、ケース本体１３、第１絶縁カバー３０ａ、及び第２絶縁カバー３０ｂが供給された後、第２接続搬送路Ｒ４を通って組立搬送路Ｒ２に搬送される。
【００７３】
図６に示すように、組立装置７０は、電極組立体挿入工程を行うアーム部としての第１アーム部７１と、第１治具押圧部７２と、を備えている。第１アーム部７１は、ケース本体支持部５３に支持されたケース本体１３内に電極組立体１２の一部を挿入する。第１アーム部７１は、搬送路Ｒの内周側に配置されている。第１アーム部７１は、第１ベルトコンベア８１によって搬送された組立部材Ｗを挟持し、組立搬送路Ｒ２の搬送方向の下流に向けて移動する。第１アーム部７１は、挟持した組立部材Ｗを治具５１のケース本体支持部５３に支持されたケース本体１３（図５参照）に挿入する機能を有している。第１治具押圧部７２は、搬送路Ｒの外周側に配置されている。第１治具押圧部７２は、組立搬送路Ｒ２の搬送方向において第１アーム部７１よりも下流寄りに設けられている。第１治具押圧部７２は、治具５１の拡張部材５８の押圧端面５８ａ（図５参照）を押圧可能である。
【００７４】
次に、電極組立体挿入工程について説明する。
図７に示すように、電極組立体挿入工程では、第１アーム部７１が第１ベルトコンベア８１によって搬送された組立部材Ｗを挟持し、組立搬送路Ｒ２の搬送方向の下流に向けて移動する。このとき、電極組立体１２の挿入前の状態のケース本体１３が支持されている治具５１が載置されているリニア台が第１治具押圧部７２に対応する位置で一時停止する。そして、第１治具押圧部７２によって治具５１の拡張部材５８の押圧端面５８ａを押圧することにより、第１蓋支持部５６ａ及び第２蓋支持部５６ｂを非支持位置に移動させる。
【００７５】
次に、第１アーム部７１は、ケース本体１３内に組立部材Ｗの電極組立体１２を絶縁シート４０とともに挿入する。組立部材Ｗの電極組立体１２がケース本体１３に挿入された状態では、電極組立体１２のタブ側端面１２ａ寄りの部分は、ケース本体１３の外部に露出した状態となる。
【００７６】
その後、図５に示すように、第１治具押圧部７２は、治具５１の拡張部材５８の押圧端面５８ａの押圧を解除する。よって、第１蓋支持部５６ａ及び第２蓋支持部５６ｂが支持位置に移動することで、組立部材Ｗの蓋１４が支持された状態になる。このとき、第１蓋支持部５６ａ及び第２蓋支持部５６ｂによって支持された蓋１４の下面１４ａと、電極組立体１２のタブ側端面１２ａとの間には隙間が存在する。また、電極組立体１２のタブ側端面１２ａは、ケース本体１３の長側壁１３ｃ及び短側壁１３ｄの先端面１３ｅよりも上寄りに位置している。そのため、蓋１４の下面１４ａと電極組立体１２のタブ側端面１２ａとの間の隙間は、ケース本体１３の長側壁１３ｃ及び短側壁１３ｄにより覆われず、第１絶縁カバー３０ａ及び第２絶縁カバー３０ｂの組み付けが可能な状態である。蓋１４が第１蓋支持部５６ａ及び第２蓋支持部５６ｂによって支持された状態で、第１アーム部７１は絶縁シート４０によって覆われた組立部材Ｗを離し、その後、組立搬送路Ｒ２の搬送方向の上流寄りに移動する。
【００７７】
図６又は図８に示すように、組立装置７０は、第１絶縁カバー組付工程を行うカバー押圧部としての第１カバー押圧部７３を備えている。第１カバー押圧部７３は、組立搬送路Ｒ２の搬送方向において第１アーム部７１及び第１治具押圧部７２よりも下流寄り、且つ搬送路Ｒの外周側に配置されている。第１カバー押圧部７３は、組立搬送路Ｒ２の搬送方向に沿う方向に往復移動可能である。第１カバー押圧部７３は、組立搬送路Ｒ２上を搬送されている治具５１と併走可能である。第１カバー押圧部７３は、ケース本体支持部５３に支持されたケース本体１３内に組立部材Ｗの電極組立体１２の一部が挿入された状態で第１カバー支持部５５ａの支持台５５ｄに支持された第１絶縁カバー３０ａを組立部材Ｗに向けて押圧可能である。
【００７８】
第１絶縁カバー組付工程では、第１カバー押圧部７３は、組立搬送路Ｒ２の搬送方向の下流に向かって治具５１と併走しながら、治具５１の第１カバー支持部５５ａに支持された第１絶縁カバー３０ａを組立部材Ｗに向けて押圧する。すると、第１絶縁カバー３０ａは、組立部材Ｗにおける所定の位置に組み付けられる。すなわち、図３に示すように、第１絶縁カバー３０ａの第１部位３１は、蓋１４の下面１４ａと導電部材１７の上面との間に挿入される。第１絶縁カバー３０ａの第２部位３２は、電極組立体１２のタブ側端面１２ａと正極タブ群２５ａ及び負極タブ群２８ａとの間に挿入される。第１絶縁カバー３０ａの第３部位３３は、正極タブ群２５ａ及び負極タブ群２８ａの先端側曲げ部２９ｃを外側から覆う。図６に示すように、第１カバー押圧部７３は、第１絶縁カバー３０ａの組立部材Ｗに対する組立が完了すると、組立搬送路Ｒ２の搬送方向の上流寄りに移動する。なお、第１絶縁カバー組立工程の間、蓋１４は治具５１の第１蓋支持部５６ａ及び第２蓋支持部５６ｂによって支持された状態である。
【００７９】
図６又は図９に示すように、組立装置７０は、第２絶縁カバー組付工程を行うカバー押圧部としての第２カバー押圧部７４を備えている。第２カバー押圧部７４は、組立搬送路Ｒ２の搬送方向において第１カバー押圧部７３よりも下流寄り、且つ搬送路Ｒの内周側に配置されている。第２カバー押圧部７４は、組立搬送路Ｒ２の搬送方向に沿う方向に往復動可能である。第２カバー押圧部７４は、組立搬送路Ｒ２上を搬送される治具５１と併走可能である。第２カバー押圧部７４は、ケース本体支持部５３に支持されたケース本体１３内に組立部材Ｗの電極組立体１２の一部が挿入された状態で第２カバー支持部５５ｂに支持された第２絶縁カバー３０ｂを組立部材Ｗに向けて押圧可能である。
【００８０】
第２絶縁カバー組付工程では、第２カバー押圧部７４は、組立搬送路Ｒ２の搬送方向の下流に向かって治具５１と併走しながら、治具５１の第２カバー支持部５５ｂに支持された第２絶縁カバー３０ｂを組立部材Ｗに向けて押圧する。すると、第２絶縁カバー３０ｂは、組立部材Ｗにおける所定の位置に組み付けられる。すなわち、図３に示すように、第２絶縁カバー３０ｂの第１部位３７は、蓋１４の下面１４ａと導電部材１７の上面との間に挿入される。第２絶縁カバー３０ｂの第２部位３８は、正極タブ群２５ａ及び負極タブ群２８ａの基端側曲げ部２９ａを外側から覆う。第２絶縁カバー３０ｂの係止爪３９ａが、第１絶縁カバー３０ａの係止凹部３４ａに係止される。第２カバー押圧部７４は、第２絶縁カバー３０ｂの組立部材Ｗに対する組立が完了すると、組立搬送路Ｒ２の搬送方向の上流寄りに移動する。なお、第２絶縁カバー組付工程の間、蓋１４は治具５１の第１蓋支持部５６ａ及び第２蓋支持部５６ｂによって支持された状態である。
【００８１】
図６に示すように、組立装置７０は、組立部材保持工程を行う第２治具押圧部７６と、蓋移動部７７と、を備えている。第２治具押圧部７６は、組立搬送路Ｒ２における搬送方向において第２カバー押圧部７４よりも下流寄り、且つ搬送路Ｒの外周側に配置されている。第２治具押圧部７６は、治具５１の拡張部材５８の押圧端面５８ａを押圧可能である。蓋移動部７７は、組立搬送路Ｒ２の搬送方向において、第２カバー押圧部７４よりも下流寄り、且つ搬送路Ｒの上方に配置されている。また、蓋移動部７７は、組立搬送路Ｒ２の搬送方向において第２治具押圧部７６と同じ位置に設けられている。
【００８２】
また、組立装置７０は、蓋押圧工程を行うための補助部７８を備えている。補助部７８は、蓋移動部７７と共に蓋押圧工程を行う。また、補助部７８は、搬送路Ｒの内周側及び外周側に設けられている。補助部７８は、組立搬送路Ｒ２の搬送方向において第２カバー押圧部７４よりも下流寄りに設けられている。また、補助部７８は、組立搬送路Ｒ２の搬送方向において第２治具押圧部７６及び蓋移動部７７と同じ位置に設けられている。
【００８３】
ここで、蓋移動部７７の構成について詳しく説明する。
図１０（ａ）に示すように、蓋移動部７７は、蓋１４を保持可能な蓋保持部８５を備える。本実施形態の蓋移動部７７は、蓋保持部８５を２つ備えている。蓋保持部８５は、矩形板状の第１保持部８５ａと、第１保持部８５ａの長辺方向両端から下方に立設した一対の第２保持部８５ｂと、を備える。第１保持部８５ａからの第２保持部８５ｂの立設方向において、第２保持部８５ｂの寸法は、蓋１４の蓋本体部１６ａの下面と電極端子１５の外部接続端子１９ｃの先端部との間の寸法よりも大きい。また、詳しい構成の図示は省略しているが、蓋保持部８５は第２保持部８５ｂの開閉制御が可能なチャック機構を有している。蓋保持部８５の開閉動作によって、一対の第２保持部８５ｂの対向方向において、一対の第２保持部８５ｂの間の距離が変更する。
【００８４】
蓋移動部７７は、矩形平板状の基端部８７を備えており、基端部８７の下面には収縮可能なばね支持部８８が接続されている。ばね支持部８８のうち、基端部８７との接続側とは反対側が蓋保持部８５の第１保持部８５ａに接続されている。これにより、蓋保持部８５は、ばね支持部８８を介して基端部８７に接続されている。なお、ばね支持部８８は、フローティング機構８８ｆを介して基端部８７に接続されている。ばね支持部８８は、フローティング機構８８ｆによって、基端部８７に対して支持されながらばね支持部８８の延びる方向と直交する方向で変位可能となっている。すなわち、フローティング機構８８ｆは、ケース本体支持部５３に支持されたケース本体１３の開口部１３ａの開口面に沿う方向にて、第１保持部８５ａ及び第２保持部８５ｂと基端部８７との位置関係を変更可能とするものである。
【００８５】
蓋移動部７７は、蓋１４を押圧可能な蓋押圧部８６を備える。本実施形態の蓋移動部７７は、蓋押圧部８６を２つ備えている。蓋押圧部８６は、基端部８７の長辺方向の両端部において、互いに離間して位置している。蓋押圧部８６は、基端部８７の下面から下方に立設する矩形平板状の第１押圧部８６ａと、基端部８７の短辺方向における第１押圧部８６ａの一対の縁部から基端部８７の長辺方向に延びる一対の第２押圧部８６ｂと、を備える。２つの蓋押圧部８６において、第２押圧部８６ｂは基端部８７の長辺方向で互いに近づく方向に延びている。蓋押圧部８６は、基端部８７に直交する方向から見たときに、平面視コの字となっている。なお、各蓋押圧部８６にて並ぶ一対の第２押圧部８６ｂの対向方向において、一方の第２押圧部８６ｂにおける他方の第２押圧部８６ｂとは反対側の面と、他方の第２押圧部８６ｂにおける一方の第２押圧部８６ｂとは反対側の面との間の寸法は、蓋１４の蓋本体部１６ａの短辺方向の寸法よりもわずかに小さい。また、基端部８７からの第１押圧部８６ａの立設方向において、第１押圧部８６ａと第２押圧部８６ｂとの寸法は同じ大きさである。この基端部８７からの第１押圧部８６ａの立設方向における第１押圧部８６ａ及び第２押圧部８６ｂの寸法は、第１保持部８５ａからの第２保持部８５ｂの立設方向における第２保持部８５ｂの寸法よりも大きい。
【００８６】
蓋移動部７７は、基端支持部８９を備える。本実施形態の基端支持部８９は、シリンダ部８９ａと、シリンダ部８９ａに対して出没可能なロッド８９ｂと、を備える。基端支持部８９は、シリンダ部８９ａに対するロッド８９ｂの出没を通じて、基端部８７を上下方向に移動可能としている。基端部８７の移動に応じて、蓋保持部８５がばね支持部８８と共に基端部８７の移動方向と同方向に移動するとともに、蓋押圧部８６が基端部８７の移動方向と同方向に移動する。こうした基端支持部８９による基端部８７の移動によって、蓋移動部７７は、蓋保持部８５及び蓋押圧部８６のどちらも蓋１４に当接しない非当接位置と、蓋保持部８５によって蓋１４を保持する蓋保持位置と、蓋押圧部８６によって蓋１４を押圧する蓋押圧位置と、で蓋保持部８５及び蓋押圧部８６を上下方向に移動可能である。
【００８７】
次に、組立部材保持工程について説明する。
図１０（ｂ）に示すように、組立部材保持工程では、電極組立体１２の一部がケース本体１３に挿入された状態で、ケース本体１３が治具５１に保持されている。そして、治具５１が載置されているリニア台が、第２治具押圧部７６及び蓋移動部７７に対応する位置で一時停止する。蓋移動部７７において、シリンダ部８９ａからロッド８９ｂが突出することにより、蓋保持部８５及び蓋押圧部８６が非当接位置から蓋保持位置となる。このとき、蓋保持部８５の開動作によって、一対の第２保持部８５ｂの間の距離は、蓋１４の短辺方向における蓋本体部１６ａの寸法よりも大きくなっている。また、蓋保持位置では、蓋保持部８５の一対の第２保持部８５ｂの下端部が、蓋１４の短辺方向における蓋本体部１６ａの端部と対向して位置する。そして、上記蓋保持位置となった状態で、蓋保持部８５の閉動作によって一対の第２保持部８５ｂが互いに近づく方向に移動することにより、一対の第２保持部８５ｂの間の距離が小さくなる。これにより、一対の第２保持部８５ｂによって蓋１４の蓋本体部１６ａが蓋１４の短辺方向における両側から挟持される。こうして蓋１４が蓋保持部８５によって保持されると、蓋１４を含む組立部材Ｗが蓋保持部８５によって支持された状態となる。なお、こうした蓋保持部８５による蓋保持位置においては、蓋押圧部８６が蓋１４の上面１４ｂから離間している。
【００８８】
そして、図１１に示すように、蓋保持部８５によって組立部材Ｗが保持された状態のまま、第２治具押圧部７６によって治具５１の拡張部材５８の押圧端面５８ａを押圧することにより、第１蓋支持部５６ａ及び第２蓋支持部５６ｂを非支持位置に移動させる。こうして蓋保持部８５のみによって蓋１４を保持した状態とした後、補助部７８を治具５１に対して近接させる。
【００８９】
次に、補助部７８の構成について詳しく説明する。
図１２（ａ）に示すように、補助部７８は、治具５１に対して近接又は離間可能に設けられた第１把持部９１及び第２把持部９２を備えている。本実施形態の補助部７８においては、第１把持部９１及び第２把持部９２の両方が、鍛造や切削等により製造されたものである。また、第１把持部９１及び第２把持部９２の両方がセラミック製である。第１把持部９１は搬送路Ｒの外周側に設けられ、第２把持部９２は搬送路Ｒの内周側に設けられている。第１把持部９１と第２把持部９２とは、搬送路Ｒを挟んで対向して位置している。
【００９０】
図１２（ａ）及び図１２（ｂ）に示すように、第１把持部９１及び第２把持部９２は、エアシリンダ等の動力を用いて治具５１の搬送方向に直交する方向であって、電極組立体１２の積層方向に往復動可能である。第１把持部９１及び第２把持部９２は、図１２（ａ）に示す治具５１から離間した状態と、図１２（ｂ）に示す治具５１に近接した状態とで移動可能である。
【００９１】
図１２（ａ）に示すように、本実施形態においては、治具５１の搬送方向における寸法について、第２把持部９２よりも第１把持部９１が長い。具体的には、第１把持部９１は、治具５１の搬送方向において、蓋１４の長辺方向における蓋本体部１６ａの寸法よりも長い。第２把持部９２は、治具５１の搬送方向において、蓋１４の長辺方向における蓋本体部１６ａの寸法と同程度である。また、治具５１の搬送方向において、第１把持部９１及び第２把持部９２の長さは、第１治具押圧部７２により拡張部材５８の押圧端面５８ａを押圧した状態において、第１蓋支持部５６ａの延出部５６ｄと第２蓋支持部５６ｂの延出部５６ｄとの間の長さよりも短くなっている。治具５１の搬送方向において、第１把持部９１の長さは、第１治具押圧部７２による拡張部材５８の押圧端面５８ａの押圧を解除した状態（図５参照）において、第１蓋支持部５６ａの延出部５６ｄと第２蓋支持部５６ｂの延出部５６ｄとの間の長さよりも長くなっている。すなわち、第１把持部９１及び第２把持部９２は、第１治具押圧部７２により拡張部材５８の押圧端面５８ａが押圧された状態においてのみ治具５１に対して近接又は離間される。
【００９２】
第１把持部９１は、平面視でコの字形状の板状部材である。第１把持部９１は、治具５１の搬送方向に沿って延びる長板部９１ａと、長板部９１ａの長辺方向の両端からそれぞれ治具５１に向けて延びる一対の延出部９１ｂとを備えている。長板部９１ａの治具５１寄りの部分には、凹部９１ｃが設けられている。凹部９１ｃは、長板部９１ａの長辺方向における中央部分の所定範囲に設けられている。凹部９１ｃは、長板部９１ａの上面から下面にかけて、図１２（ａ）の上下方向である長板部９１ａの板厚方向の全体に設けられている。また、第１把持部９１における一対の延出部９１ｂの間の寸法は、蓋１４の長辺方向における蓋本体部１６ａの寸法と同じである。
【００９３】
また、第１把持部９１は、長板部９１ａの外側面側から突出する板状の位置決め部材９５を備える。位置決め部材９５は、電極組立体１２の積層方向に延びる長孔９５ｈを備える。また、位置決め部材９５の下部には搬送路Ｒ外の部分にて補助部７８に対応する位置に固定された固定部材９６が位置している。固定部材９６は上部に突出する挿通ピン９６ｐを備える。この挿通ピン９６ｐが位置決め部材９５の長孔９５ｈに挿通されている。こうして位置決め部材９５と固定部材９６とが接続されることにより、第１把持部９１が所定の位置に位置決めされている。なお、図１２（ａ）及び図１２（ｂ）に示すように、第１把持部９１の往復動に応じて、挿通ピン９６ｐの位置が長孔９５ｈ内で移動する。また、図１２（ａ）及び図１２（ｂ）以外の図面では、図面の簡略化のため、位置決め部材９５及び固定部材９６の図示を省略している。
【００９４】
第２把持部９２は、平面視でアルファベットのＥの字形状の板状部材である。第２把持部９２は、治具５１の搬送方向に沿って延びる長板部９２ａと、長板部９２ａの長辺方向の両端からそれぞれ治具５１に向けて延びる一対の延出部９２ｂと、長板部９２ａの長辺方向の両端部の中間位置から治具５１に向けて延びる中間部９２ｆと、を備えている。長板部９２ａの治具５１寄りの部分には、一対の延出部９２ｂと中間部９２ｆとで区画形成された２つの凹部９２ｃが並んで設けられている。凹部９２ｃは、第２把持部９２における中間部９２ｆを挟んだ両側の所定範囲に設けられている。凹部９２ｃは、長板部９２ａの上面から下面にかけて、図１２（ａ）の上下方向である長板部９２ａの板厚方向の全体に設けられている。長板部９２ａの治具５１寄りの部分において、一対の延出部９２ｂ及び中間部９２ｆの内側面側には、傾斜面９２ｅが形成されている。本実施形態の傾斜面９２ｅは、長板部９２ａの板厚方向において、一対の延出部９２ｂ及び中間部９２ｆにおける上端から、上端と下端との間の途中までに設けられている。また、図示はされていないが、第２把持部９２も、第１把持部９１の位置決め部材９５と同様の位置決め部材を備える。そして、位置決め部材が同様に固定部材と接続されることにより、第２把持部９２も所定の位置に位置決めされている。
【００９５】
図１３に示すように、第１把持部９１の長板部９１ａは、治具５１の搬送方向である組立搬送路Ｒ２の搬送方向から見て、ケース本体１３の開口部１３ａの開口面に直交する方向において、第１カバー支持部５５ａの支持台５５ｄと、ケース本体支持部５３の第２壁部５３ｂと、の間に重なる位置に設けられている。また、第１把持部９１の長板部９１ａは、対向方向である電極組立体１２の積層方向から見たときにも、ケース本体１３の開口部１３ａの開口面に直交する方向において、第１カバー支持部５５ａの支持台５５ｄと、ケース本体支持部５３の第２壁部５３ｂと、の間に重なっている。なお、この第１把持部９１の長板部９１ａが設けられる位置は、上記所定位置に相当する位置であり、位置決め部材９５と固定部材９６とが接続されることによる第１把持部９１の位置決めにより実現されている。また、図１３に図示はされていないが、第１把持部９１の長板部９１ａが設けられる位置は、第１カバー支持部５５ａの支持台５５ｄと、ケース本体支持部５３の第１壁部５３ａと、の間に重なる位置でもある。こうした位置に第１把持部９１の長板部９１ａが設けられることにより、第１壁部５３ａ、第２壁部５３ｂ、第３壁部５３ｃ、及び第４壁部５３ｄの台座部５２からの立設方向において、第１把持部９１が往復動に伴って治具５１における第１壁部５３ａ、第２壁部５３ｂ、及び第１カバー支持部５５ａと当接することがない。
【００９６】
また、第２把持部９２の長板部９２ａは、治具５１の搬送方向である組立搬送路Ｒ２の搬送方向から見て、第２カバー支持部５５ｂの支持台５５ｄと、ケース本体支持部５３の第４壁部５３ｄと、の間に重なる位置に設けられている。また、第２把持部９２の長板部９２ａは、対向方向である電極組立体１２の積層方向から見たときにも、ケース本体１３の開口部１３ａの開口面に直交する方向において、第２カバー支持部５５ｂの支持台５５ｄと、ケース本体支持部５３の第４壁部５３ｄと、の間に重なっている。なお、図１３に図示はされていないが、第２把持部９２の長板部９２ａが設けられる位置は、第２カバー支持部５５ｂの支持台５５ｄの下面と、ケース本体支持部５３の第３壁部５３ｃと、の間に重なる位置でもある。こうした位置に第２把持部９２の長板部９２ａが設けられることにより、第１壁部５３ａ、第２壁部５３ｂ、第３壁部５３ｃ、及び第４壁部５３ｄの台座部５２からの立設方向において、第２把持部９２が往復動に伴って治具５１における第３壁部５３ｃ、第４壁部５３ｄ、及び第２カバー支持部５５ｂと当接することがない。
【００９７】
図１４に示すように、第１把持部９１の延出部９１ｂは、電極組立体１２の積層方向から見て、第１カバー支持部５５ａの一対の基部５５ｃと、ケース本体１３の一対の短側壁１３ｄと、の間に重なる位置に設けられている。こうした位置に第１把持部９１の延出部９１ｂが設けられることにより、治具５１の搬送方向である組立搬送路Ｒ２の搬送方向において、第１把持部９１が往復動に伴って治具５１における第１カバー支持部５５ａと当接することがない。
【００９８】
また、第２把持部９２の長板部９２ａは、蓋１４の長辺方向における蓋本体部１６ａの寸法と同程度である。そして、図１４に図示はされていないが、電極組立体１２の積層方向から見て、第２カバー支持部５５ｂの一対の基部５５ｃの間に重なる位置に設けられている。こうした位置に第２把持部９２の長板部９２ａが設けられることにより、治具５１の搬送方向である組立搬送路Ｒ２の搬送方向において、第２把持部９２が往復動に伴って治具５１における第２カバー支持部５５ｂと当接することがない。
【００９９】
図１２（ａ）及び図１３に示すように、第１把持部９１において、長板部９１ａの治具５１寄りの部分における凹部９１ｃを挟み込む挟持部９１ｄの内側面側と、一対の延出部９１ｂの内側面側とには、傾斜面９１ｅが形成されている。本実施形態の傾斜面９１ｅは、長板部９１ａの板厚方向において、挟持部９１ｄ及び延出部９１ｂにおける上端から、上端と下端との間の途中位置までに設けられている。また、第２把持部９２において、長板部９２ａの治具５１寄りの部分における一対の延出部９２ｂの内側面側と、中間部９２ｆの内側面側と、には、傾斜面９２ｅが形成されている。本実施形態の傾斜面９１ｅは、長板部９１ａの板厚方向において、挟持部９１ｄ及び延出部９１ｂにおける上端から、上端と下端との間の途中位置までに設けられている。
【０１００】
また、第１把持部９１の挟持部９１ｄ及び延出部９１ｂでの傾斜面９１ｅを含む内側面の全体と、第２把持部９２の延出部９１ｂ及び中間部９２ｆでの傾斜面９２ｅを含む内側面の全体と、にはコート層Ｃが形成されている。なお、第１把持部９１及び第２把持部９２における上記内側面とは、第１把持部９１及び第２把持部９２を治具５１に近接するように移動させた状態で、第１把持部９１及び第２把持部９２においてケース本体１３と対向する面に相当する。
【０１０１】
コート層Ｃに用いられるコート材料は、ＰＥＥＫ（ポリエーテルエチルケトン）を主材料とし、バインダ樹脂等の接着剤や、Ｎメチルピロリドン等の溶剤及び充填剤等が含まれている。なお、コート材料は、ＰＴＦＥ（ポリテトラフルオロエチレン）や、ＰＦＡ（ペルフルオロアルコキシアルカン）等のフッ素系樹脂が混合されていても良い。またコート層Ｃは、第１把持部９１及び第２把持部９２における上記内側面の全体で均一な膜厚を有する。なお、第１把持部９１及び第２把持部９２における上記内側面へのコート層Ｃの形成方法としては、スプレー塗布法や浸漬塗布法等が採用可能である。
【０１０２】
コート層Ｃの形成に際しては、まず第１把持部９１及び第２把持部９２における上記内側面以外の部分の表面にマスキング等を施した後、上記形成方法を用いたコート材料の塗布を行う。これにより、第１把持部９１及び第２把持部９２における上記内側面以外の部分には、コート材料が塗布されない。コート材料が塗布された第１把持部９１及び第２把持部９２は、乾燥工程においてコート材料中の溶剤が除去されるとともに、焼成工程において焼成される。こうして焼成工程を終えることにより、第１把持部９１及び第２把持部９２における上記内側面には、所定の膜厚のコート層Ｃが形成される。また、第１把持部９１及び第２把持部９２における上記内側面以外の部分には、コート層Ｃが形成されない。なお、第１把持部９１及び第２把持部９２における上記内側面以外の部分にマスキング等を施さず、第１把持部９１及び第２把持部９２における上記内側面以外の部分にもコート層Ｃが形成されていてもよい。
【０１０３】
図１５に示すように、第１把持部９１が治具５１に対して近接した状態では、第１把持部９１における長板部９１ａの内側面のうち凹部９１ｃ及び傾斜面９１ｅを除く部分がケース本体１３の一方の長側壁１３ｃに当接するとともに、延出部９１ｂの内側面のうち傾斜面９１ｅを除く部分がケース本体１３の一対の短側壁１３ｄに当接する。第２把持部９２が治具５１に対して近接した状態では、第２把持部９２における一対の延出部９２ｂ及び中間部９２ｆの内側面のうち傾斜面９２ｅを除く部分がケース本体１３の他方の長側壁１３ｃに当接する。なお、第１把持部９１及び第２把持部９２の構成を説明する便宜上、図１５ではカバー支持部５５等の図示を省略している。
【０１０４】
第１把持部９１及び第２把持部９２が治具５１に近接した状態では、これら第１把持部９１及び第２把持部９２によって、図１５に破線で示すように、挿入孔９３と、挿入孔９３に連通する誘導孔９４と、が区画形成される。ケース本体１３の開口部１３ａの開口面に直交する方向において、挿入孔９３はケース本体１３寄りに位置し、誘導孔９４は挿入孔９３よりもケース本体１３から離間する側にて挿入孔９３と連通する。これら挿入孔９３及び誘導孔９４が、ケース本体１３を閉塞する閉塞位置に蓋１４を導入するための導入孔として機能する。
【０１０５】
挿入孔９３は、ケース本体１３の開口部１３ａの開口面に直交する方向であって、図１５の紙面に直交する方向である深さ方向での任意の箇所において、治具５１の搬送方向及び治具５１の搬送方向に直交する方向を含む平面で切断したときの断面が、蓋１４の板厚方向から見たときのケース本体１３の外形及び蓋１４の外形と形状及び寸法が同じである。挿入孔９３における一対の長辺の長さは、第１把持部９１における一対の延出部９１ｂの間の長さに相当する。そして、挿入孔９３における一対の長辺の長さは、ケース本体１３の一方の短側壁１３ｄの外面と他方の短側壁１３ｄの外面との間の長さと同じである。挿入孔９３における一対の長辺の長さは、蓋１４の長辺方向の長さと同じである。また、挿入孔９３における一対の短辺の長さは、第１把持部９１の長板部９１ａの内側面と第２把持部９２の延出部９２ｂ及び中間部９２ｆの内側面と、の間の長さに相当する。そして、挿入孔９３における一対の短辺の長さは、ケース本体１３の一方の長側壁１３ｃの外面と他方の長側壁１３ｃの外面との間の長さと同じである。挿入孔９３における一対の短辺の長さは、蓋１４の短辺方向の長さと同じである。挿入孔９３は、上記深さ方向から見たときに、ケース本体１３の外形で形成される平面形状と重なっている。
【０１０６】
誘導孔９４は、第１把持部９１の傾斜面９１ｅと第２把持部９２の傾斜面９２ｅとによって囲まれた部分である。誘導孔９４は、治具５１の搬送方向及び治具５１の搬送方向に直交する方向を含む平面で切断したときの断面の断面積Ｓが、ケース本体１３から離れるにつれて徐々に大きくなるように設けられている。
【０１０７】
次に、蓋押圧工程について説明する。
図１２（ｂ）に示すように、蓋押圧工程は、治具５１が載置されているリニア台が組立部材保持工程にて停止したまま行う。そして、蓋移動部７７において、組立部材保持工程からさらにシリンダ部８９ａからロッド８９ｂが突出する。ロッド８９ｂの突出量が大きくなるにつれて、基端部８７が移動するとともに、ばね支持部８８が収縮する。このとき蓋１４は、第１把持部９１及び第２把持部９２によって保持された状態のまま組立部材保持工程から維持されている。そして、ロッド８９ｂの突出に応じてばね支持部８８が収縮する間は、電極組立体１２はケース本体１３から露出した状態のまま変位せず、蓋１４はケース本体１３の開口部１３ａから離間した位置で維持される。
【０１０８】
シリンダ部８９ａからのロッド８９ｂの突出が続くと、蓋保持部８５によって保持された蓋１４がケース本体１３の上部に載せられ、その後に蓋押圧部８６が蓋１４の上面１４ｂに当接するようになる。すなわち、蓋保持部８５及び蓋押圧部８６が蓋押圧位置とされる。蓋押圧部８６が蓋１４の上面１４ｂに当接した状態では、基端部８７からの第１押圧部８６ａの立設方向における第１押圧部８６ａの先端部が、蓋１４の短辺に沿うように当接する。蓋押圧部８６が蓋１４の上面１４ｂに当接した状態では、基端部８７からの第１押圧部８６ａの立設方向における第２押圧部８６ｂの先端部が、蓋１４の長辺に沿うように当接する。
【０１０９】
図１５に二点鎖線で示すように、蓋１４の上面１４ｂにおける蓋押圧部８６の当接箇所Ｐは、蓋１４の長辺方向における上面１４ｂの両端部に位置する。この当接箇所Ｐは、蓋保持部８５によって保持される蓋１４の部分とは重ならない。そのため、蓋押圧部８６の蓋１４の上面１４ｂへの当接に際しては、蓋押圧部８６と蓋保持部８５とが干渉しない。また、上記当接箇所Ｐは、蓋１４の上面１４ｂにおいて、電極端子１５における引出端子１９ａ、端子接続部材１９ｂ、外部接続端子１９ｃ、及び外側絶縁部材１９ｄのいずれの設置位置とも重ならない。
【０１１０】
蓋押圧工程では、蓋押圧部８６が蓋１４の上面１４ｂに当接してからも、シリンダ部８９ａからのロッド８９ｂの突出が続けられる。蓋押圧部８６が蓋１４の上面１４ｂに当接してからは、ばね支持部８８が収縮しない。そして、蓋保持部８５、蓋押圧部８６、基端部８７、及びばね支持部８８が、一体となってロッド８９ｂの突出量に応じてケース本体１３に近づく方向に移動する。蓋１４は、蓋押圧部８６による押圧を受けて、ケース本体１３に近づく方向に移動する。そして、電極組立体１２が蓋１４を介して蓋押圧部８６から押圧を受けることにより、電極組立体１２のうちケース本体１３から露出していた部分がケース本体１３の内部に挿入される。
【０１１１】
図１５に示すように、蓋１４の移動の際には、第１把持部９１及び第２把持部９２における誘導孔９４を蓋１４が通過する。このとき、蓋１４を保持する蓋保持部８５の第２保持部８５ｂが、第１把持部９１の凹部９１ｃ及び第２把持部９２の凹部９２ｃの内部を通る。また、図１５の紙面に直交する方向である蓋１４の板厚方向において、仮に蓋１４がケース本体１３の開口部１３ａからずれていると、開口部１３ａからケース本体１３の外側にずれた蓋１４の部分が、第１把持部９１の傾斜面９１ｅや第２把持部９２の傾斜面９２ｅに当接する。このとき、蓋１４は、傾斜面９１ｅや傾斜面９２ｅにおけるコート層Ｃを摺動する。そして、蓋１４が第１把持部９１の傾斜面９１ｅや第２把持部９２の傾斜面９２ｅに当接しながら、蓋１４がケース本体１３に近づく方向に移動する。蓋１４が挿入孔９３と誘導孔９４との境界部分にまで到達すると、蓋１４の板厚方向から見たときに、蓋１４の蓋本体部１６ａの外形がケース本体１３の外形と重なった状態となるとともに、蓋１４の蓋インロー部１６ｂの外形がケース本体１３の外形より内側に位置した状態となる。
【０１１２】
そして、第１把持部９１及び第２把持部９２における挿入孔９３を蓋１４が通るようになる。このとき、蓋１４の蓋本体部１６ａの周縁部が、第１把持部９１における長板部９１ａ及び延出部９１ｂの傾斜面９１ｅを除く内側面と、第２把持部９２における延出部９２ｂ及び中間部９２ｆの傾斜面９２ｅを除く内側面とに当接する。そして、蓋１４は、第１把持部９１及び第２把持部９２における上記内側面におけるコート層Ｃを摺動する。このように、補助部７８では、挿入孔９３及び誘導孔９４を蓋１４が通過することで、蓋１４の閉塞位置への導入を補助する。
【０１１３】
図１６に示すように、シリンダ部８９ａからのロッド８９ｂの突出が続けられると、蓋１４が閉塞位置に位置するようになることで、ケース本体１３の開口部１３ａは蓋１４によって閉塞される。これにより、電極組立体１２全体、導電部材１７、第１絶縁カバー３０ａ、及び第２絶縁カバー３０ｂがケース本体１３内に収容された状態となる。そして、シリンダ部８９ａからのロッド８９ｂの突出が終了することにより、蓋押圧部８６による蓋１４の押圧が解除され、蓋押圧工程が完了する。蓋移動部７７及び補助部７８は、蓋押圧工程が完了すると、それぞれ治具５１から離間する方向に移動する。
【０１１４】
図６に示すように、二次電池１０の製造装置５０は、ケース１１に組み付けられた組立部材Ｗを、後工程を実施する設備に搬送する第２アーム部８３を備えている。なお、後工程には、ケース本体１３の開口部１３ａの周縁部と蓋１４の蓋本体部１６ａの周縁部とを溶接によって接合する溶接工程を含む。
【０１１５】
第２アーム部８３は、第２ベルトコンベア８２の側方に配置されている。第２アーム部８３は、組立搬送路Ｒ２上を搬送されている蓋押圧工程後の二次電池１０のケース１１を挟持し、第２ベルトコンベア８２上に移動させる。なお、第２アーム部８３がケース１１を第２ベルトコンベア８２上に移動させた後、治具５１には各種部材（ケース本体１３、組立部材Ｗ、第１絶縁カバー３０ａ、及び第２絶縁カバー３０ｂ）が供給されていない状態となる。そして、治具５１は、第１接続搬送路Ｒ３を通って、再び返送路Ｒ１に搬送される。
【０１１６】
本実施形態では以下の作用及び効果を得ることができる。
（１）ケース本体１３への蓋１４の組み付けに際して、蓋移動部７７と補助部７８とを協働させて、挿入孔９３及び誘導孔９４を形成することにより、蓋１４をケース本体１３に近接させながらケース本体１３への蓋１４の導入が行われる。このため、誘導孔９４及び挿入孔９３を蓋１４が通過する前に、ケース本体１３の開口部１３ａの開口面に沿う方向で蓋１４がケース本体１３の開口部１３ａに対して閉塞位置からずれていても、誘導孔９４及び挿入孔９３を蓋１４が通過している間に、ケース本体１３の開口部１３ａに対する蓋１４のずれが修正される。したがって、ケース本体１３への蓋１４の組み付けに際してケース本体１３と蓋１４との位置精度を向上できる。
【０１１７】
また、上記実施形態によれば、補助部７８をケース本体１３に近づく方向に移動させる際に、第１カバー支持部５５ａ及び第２カバー支持部５５ｂの支持台５５ｄやケース本体支持部５３といった治具５１の構成部材と干渉しない。そのため、治具５１の載せ替えを行わなくても、二次電池１０の製造工程における他工程と共通の治具５１を用いて、ケース本体１３への蓋１４の組み付けを行うことができる。したがって、治具５１の載せ替えを行わない分だけ、二次電池１０の生産性を向上させることができる。
【０１１８】
（２）補助部７８を治具５１と別体としているため、治具５１に補助部７８を搭載させるために治具５１が大型化するのを抑制することができる。
（３）蓋保持部８５と基端部８７とがフローティング機構８８ｆを介して接続されている。そのため、誘導孔９４及び挿入孔９３を蓋１４が通過している間に、誘導孔９４及び挿入孔９３を囲む補助部７８の面である補助部７８の内側面に蓋１４が摺動すると、その摺動に伴って蓋１４がケース本体１３の開口部１３ａの開口面に沿う方向に移動しやすい。したがって、ケース本体１３への蓋１４の組み付けに際してケース本体１３と蓋１４との位置精度をさらに向上できる。
【０１１９】
（４）蓋保持部８５による蓋１４の保持が行われた後に、蓋押圧部８６が蓋１４に当接するため、蓋保持部８５による蓋１４の保持が開始される際には蓋押圧部８６が蓋１４の押圧を開始する際の蓋１４の動きが生じず、蓋押圧部８６による蓋１４の押圧が開始される際には蓋保持部８５が蓋１４の保持を開始する際の蓋１４の動きが生じない。したがって、蓋保持部８５による蓋１４の保持と、蓋押圧部８６による蓋１４の押圧とを精度よく行うことができる。
【０１２０】
（５）ケース本体１３への組立部材Ｗの組み付けを繰り返し行うと、補助部７８では誘導孔９４及び挿入孔９３を蓋１４が通過する際の蓋１４の摺動が繰り返され、補助部７８の表面が摩耗するおそれがある。そのため、摩耗が懸念される使用回数となったら、補助部７８は交換することが望ましい。上記実施形態によれば、補助部７８を交換する際に、第１把持部９１の位置決め部材９５や第２把持部９２の位置決め部材によって、所定の位置に補助部７８を位置決めすることができる。そのため、交換後の補助部７８について、第１カバー支持部５５ａ及び第２カバー支持部５５ｂの支持台５５ｄやケース本体支持部５３といった治具５１の構成部材と干渉しない位置への設定を早期に完了できるため、作業工数の増大を抑制することができる。
【０１２１】
（６）誘導孔９４を囲む補助部７８の内側面が、第１把持部９１の傾斜面９１ｅ及び第２把持部９２の傾斜面９２ｅとなる。そのため、蓋１４が誘導孔９４を通過する間に、補助部７８の内側面に蓋１４が摺動すると、蓋１４が傾斜面９１ｅ，９２ｅに沿って移動しやすい。したがって、ケース本体１３への蓋１４の組み付けに際してケース本体１３と蓋１４との位置精度をさらに向上できる。
【０１２２】
（７）蓋１４が誘導孔９４を通過する間に、補助部７８の内側面に蓋１４が摺動すると、蓋１４がコート層Ｃに沿って移動することとなり、補助部７８がコート層Ｃを有さない構成と比較して蓋１４が移動しやすくなる。したがって、ケース本体１３への蓋１４の組み付けに際してケース本体１３と蓋１４との位置精度をさらに向上できる。
【０１２３】
なお、上記実施形態は、以下のように変更して実施することができる。上記実施形態及び以下の変更例は、技術的に矛盾しない範囲で互いに組み合わせて実施することができる。
【０１２４】
○  第１把持部９１の凹部９１ｃや第２把持部９２の凹部９２ｃの形状は、凹部９１ｃ，９２ｃを第２保持部８５ｂが通り抜け可能な範囲内で変更可能である。
○  第２保持部８５ｂでの蓋１４の挟持位置を第１把持部９１及び第２把持部９２に干渉しない位置に調整するとともに、第１把持部９１の凹部９１ｃや第２把持部９２の凹部９２ｃを省略してもよい。
【０１２５】
○  第１把持部９１及び第２把持部９２をケース本体１３に近づく方向に移動させた際に、第１把持部９１及び第２把持部９２が蓋１４を閉塞位置に導入するための導入孔を形成できる範囲内であれば、第１把持部９１及び第２把持部９２の形状の変更が可能である。
【０１２６】
○  蓋１４を閉塞位置に導入可能な程度に第１把持部９１及び第２把持部９２がケース本体１３に近接していれば、第１把持部９１及び第２把持部９２をケース本体１３に当接させなくてもよい。
【０１２７】
○  第１把持部９１及び第２把持部９２の往復動可能な方向を変更してもよい。例えば、治具５１の搬送方向に沿う方向の両側からケース本体１３を挟むように第１把持部９１及び第２把持部９２を往復動可能としてもよい。
【０１２８】
○  治具５１に第１把持部９１及び第２把持部９２を搭載できるスペースがあれば、治具５１に第１把持部９１及び第２把持部９２を搭載させてもよい。
○  補助部７８は、第１把持部９１及び第２把持部９２にかえて、３つ以上の部材を備え、その３つ以上の部材によって蓋１４を閉塞位置に導入するための導入孔を形成する構成としてもよい。
【０１２９】
○  第１把持部９１の傾斜面９１ｅや、第２把持部９２の傾斜面９２ｅを曲面に変更してもよい。この変更例によっても、誘導孔９４の断面積Ｓの大きさがケース本体１３から離間するほど大きくなるように構成されるため、本実施形態と同様の作用及び効果を得ることができる。
【０１３０】
○  第１把持部９１の長板部９１ａの内側面の一部または全てにおいてコート層Ｃの形成を省略してもよい。第２把持部９２の延出部９２ｂ及び中間部９２ｆの内側面の一部または全てにおいてコート層Ｃの形成を省略してもよい。
【０１３１】
○  第１把持部９１の位置決め部材９５や、第２把持部９２の位置決め部材の形状を変更してもよい。また、第１把持部９１の位置決め部材９５や、第２把持部９２の位置決め部材を省略するとともに、その位置決め部材に対応する固定部材９６を省略してもよい。
【０１３２】
○  蓋押圧部８６の第１押圧部８６ａ及び第２押圧部８６ｂの形状は蓋１４の上面１４ｂを押圧できる形状であれば変更可能である。
○  蓋押圧部８６では、第１押圧部８６ａ及び第２押圧部８６ｂにかえて、３つ以上の押圧部によって蓋１４の上面１４ｂを押圧してもよいし、１つの押圧部によって蓋１４の上面１４ｂを押圧してもよい。
【０１３３】
○  ばね支持部８８と基端部８７とはフローティング機構８８ｆを介さずに直接接続していてもよい。
○  ばね支持部８８にかえて、収縮しない支持部によって蓋保持部８５を支持する基端部８７に支持するようにしてもよい。この変更例では、シリンダ部８９ａからロッド８９ｂが突出する際に、上記支持部が撓むことにより、蓋保持部８５によって蓋１４を保持しつつ、蓋押圧部８６を蓋１４に近接させることが可能である。
【０１３４】
○  基端支持部８９は、シリンダ部８９ａ及びロッド８９ｂ以外の構成でもって蓋保持部８５及び蓋押圧部８６を移動可能なものであってもよい。
○  蓋保持部８５及び蓋押圧部８６に接続される基端部８７の形状は上記実施形態の形状に限定されない。
【０１３５】
○  蓋移動部７７は、蓋保持部８５による蓋１４の保持と蓋押圧部８６による蓋１４の押圧とを同じタイミングで開始する構成としてもよい。
○  蓋保持部８５と蓋押圧部８６とは、蓋移動部７７として一体移動可能な構造とせず、個別でそれぞれ移動可能な構造としてもよい。
【０１３６】
○  第１カバー支持部５５ａ及び第２カバー支持部５５ｂを構成する一対の基部５５ｃは、支持台５５ｄを保持することができ、且つ第１把持部９１及び第２把持部９２が治具５１に近接するときに干渉しない位置に配置できるのであればどのように変更してもよい。
【０１３７】
○  第１カバー支持部５５ａ及び第２カバー支持部５５ｂの支持台５５ｄにかえて、台座部５２等の治具５１を補強するための補強部材等、そのほかの部材を上記対向部として治具５１に搭載させてもよい。
【０１３８】
○  本実施形態では、搬送路Ｒは、環状をなしていたが、例えば直線状をなしていてもよい。
○  治具５１が載置されたリニア台は、搬送路Ｒ沿いに設けられた部材供給装置６０及び組立装置７０のうち、蓋移動部７７以外の構成に対応する位置でも一時停止するようにしてもよい。このように変更することで、第１カバー押圧部７３や第２カバー押圧部７４等にて治具５１と併走する動作を行う必要がなくなる。
【０１３９】
○  治具５１が載置されたリニア台は、搬送路Ｒ沿いに設けられた蓋移動部７７に対応する位置にて一時停止せず、蓋移動部７７に対応する位置でも移動を継続する構成としてもよい。この変更例では、第２治具押圧部７６、蓋移動部７７、及び補助部７８を治具５１と併走する動作を行う構成とする。
【０１４０】
○  絶縁カバー３０は、第１絶縁カバー３０ａ及び第２絶縁カバー３０ｂにより構成されていたが、例えば第２絶縁カバー３０ｂを省略し、第１絶縁カバー３０ａで絶縁カバー３０を構成するように変更してもよい。すなわち、絶縁カバー３０の構成は、蓋１４と導電部材１７との間に配置され、蓋１４と導電部材１７とを絶縁できる構成であれば、適宜変更してもよい。この場合、カバー支持部５５を第１カバー支持部５５ａだけで構成するように変更してもよい。
【０１４１】
○  電極端子１５から導電部材１７を省略してもよい。この変更例では、例えば、正極タブ群２５ａを正極の引出端子１９ａとラップする位置に設けるとともに、正極タブ群２５ａを直接、正極の引出端子１９ａに接続する。この場合、絶縁カバー３０は、正極タブ群２５ａが蓋１４に接触すること、及び正極の引出端子１９ａが電極組立体１２に接触することを防止する。負極側も同様である。
【０１４２】
○  第１治具押圧部７２及び第２治具押圧部７６において、第１蓋支持部５６ａ及び第２蓋支持部５６ｂを支持位置と非支持位置とで移動させる移動機構は、適宜変更してよい。
【０１４３】
○  組立部材Ｗの電極組立体１２の一部をケース本体１３に挿入した状態で、電極組立体１２のタブ側端面１２ａがケース本体１３の先端面１３ｅよりも上方に保持されるのであれば、治具５１の構成を第１蓋支持部５６ａ及び第２蓋支持部５６ｂを省略した構成としてもよい。この変更例では、治具５１は、台座部５２と、ケース本体支持部５３と、カバー支持部５５とを備え、第１蓋支持部５６ａ及び第２蓋支持部５６ｂを備えない。
【０１４４】
○  組立部材保持工程において、蓋１４を保持することで組立部材Ｗを保持する蓋保持部８５の構成は、例えば蓋１４を長手方向の両側から挟持する構成や、蓋１４の上面１４ｂを吸着する構成等に変更可能である。
【０１４５】
○  蓋押圧工程の後に、組立搬送路Ｒ２上にて絶縁検査を行う工程など、他の工程を追加してもよい。
○  絶縁シート４０により電極組立体１２の周囲を覆うようにしていたが、例えば絶縁シート４０を省略してケース本体１３内の内側面に絶縁塗料を塗布してもよい。
【０１４６】
○  蓋１４が蓋インロー部１６ｂを備えず、蓋１４の全体形状が平板状であってもよい。この場合においても、上記実施形態と同様に蓋１４をケース本体１３に組み付けることにより、組付後に行うケース本体１３と蓋１４との溶接不良を抑制できるため、ケース本体１３への蓋１４の組み付け精度の低下を抑制できる。
【０１４７】
○  正極電極２０は、正極金属箔２３の片面に正極活物質層２４が存在する構造でもよい。負極電極２１は、負極金属箔２６の片面に負極活物質層２７が存在する構造でもよい。
【０１４８】
○  電極組立体１２の構成は、正極電極及び負極電極の一方又は双方が袋状セパレータによって収納された収納電極が積層された構成としてもよい。
○  電極組立体１２は、長尺帯状の正極電極と、長尺帯状の負極電極とを、長尺帯状のセパレータを介して捲回した捲回型であってもよい。
【０１４９】
○  二次電池１０は、リチウムイオン電池であったが、これに限らず、他の二次電池であってもよい。
○  蓄電装置は、二次電池でなく、電気二重層キャパシタ等の他の蓄電装置に適用してもよい。
【符号の説明】
【０１５０】
Ｃ…コート層、Ｒ…搬送路、Ｗ…組立部材、１０…二次電池、１１…ケース、１２…電極組立体、１３…ケース本体、１３ａ…開口部、１４…蓋、１５…電極端子、１６ａ…蓋本体部、１６ｂ…蓋インロー部、２０…正極電極、２１…負極電極、２５…正極タブ、２５ａ…正極タブ群、２８…負極タブ、２８ａ…負極タブ群、３０…絶縁カバー、３０ａ…第１絶縁カバー、３０ｂ…第２絶縁カバー、５０…製造装置、５１…治具、５３…ケース本体支持部、５５…カバー支持部、５５ａ…第１カバー支持部、５５ｂ…第２カバー支持部、７７…蓋移動部、７８…補助部、８５…蓋保持部、８６…蓋押圧部、８８ｆ…フローティング機構、９３…挿入孔、９４…誘導孔、９５…位置決め部材。
【図１】
2020119725.tif 000003
【図２】
2020119725.tif 000004
【図３】
2020119725.tif 000005
【図４】
2020119725.tif 000006
【図５】
2020119725.tif 000007
【図６】
2020119725.tif 000008
【図７】
2020119725.tif 000009
【図８】
2020119725.tif 000010
【図９】
2020119725.tif 000011
【図１０】
2020119725.tif 000012
【図１１】
2020119725.tif 000013
【図１２】
2020119725.tif 000014
【図１３】
2020119725.tif 000015
【図１４】
2020119725.tif 000016
【図１５】
2020119725.tif 000017
【図１６】
2020119725.tif 000018